(57)【要約】【課題】  メダルの正確な払い出しを行うことができる遊技媒体貸出装置【解決手段】  メダル貸機１は、ホッパー駆動モータ６２ａや、搬送ベルトモータ３１などでは、始動時などに突入電力が生じノイズが発生する。このようなノイズが発生すると、メダル貸機１を構成する各部２〜６間を通信する通信信号その他にノイズが重畳する。そのため、このメダル貸機１は、電源部８にノイズ除去装置８０を備え、さらに、Ｓ３２０で真券と判定されてから真券確認信号（ＯＫＲＴＮ信号）を出力するまで８０ｍｓタイムラグを設け、真券と判定されたら直ちにＯＫＲＴＮ信号を出力されるのではなく、ノイズの影響が薄まるまで待ってＯＫＲＴＮ信号を出力するなど処理を実行している。このようにすれば、前述した通信信号等にノイズが重畳しないので、メダル貸機１において、メダルの正確な払い出しを行うことができる。【選択図】  図１６
2007151949.tif 000002
【特許請求の範囲】
【請求項１】
有価媒体の投入に基づいて遊技媒体が貸し出される遊技媒体貸出装置において、
有価媒体の判別と移送若しくは格納および前記遊技媒体の供給と払出しとを司る遊技媒体貸出制御装置を備え、
この遊技媒体貸出制御装置は、
前記紙幣取扱部と前記メダル払出部とに設けられる各センサによって検出される遊技媒体貸出制御信号の有無、あるいは、遊技媒体貸出制御信号の有無の経過時間、複数種類の遊技媒体貸出制御信号の関係若しくは組合わせに基づいて、真正な遊技媒体貸出制御情報を生成する遊技媒体貸出制御情報形成手段を備えることを特徴とする遊技媒体貸出装置。
【発明の詳細な説明】
【技術分野】
【０００１】
本発明は、パチスロ機で使用するメダル等の遊技媒体を遊技者に貸し出す遊技媒体貸出装置に関する。
【背景技術】
【０００２】
従来より、メダル貸機その他の遊技媒体貸出装置、あるいは、この遊技媒体貸出装置を備えるパチンコ機やパチスロ機等の遊技機での異常を防止する出願は多数なされている。
異常判定を行う出願としては、例えば、パチンコ機制御ユニットとカードユニットを備えるパチンコ機において、パチンコ機制御ユニット側で異常が発生し、このパチンコ機制御ユニットが備えるパチンコ機制御装置がパチンコ機レディ信号をＬからＨにしたことを、カードユニット側のカードユニット制御装置が検出すると、カードユニット側において、パチンコ機制御ユニットで異常が発生したと判定する処理を行うパチンコ機が知られている（特許文献１）
また、賞球検出センサや、貸球検出センサなど、各種センサからの検出信号にノイズが混入すると異常な判定が行われるので、これを防止するため、制御装置と各種センサとの間に、ノイズ低減用のコンデンサを接続したパチンコ機が知られている（特許文献２）。
【０００３】
さらに、外部からの異常電波によって、異常な制御が行われることがあるので、これを防止するため、制御装置と不正電波を検知する電波検知装置とを一体に構成し、電波検知装置で不正電波を検知すると、制御装置が遊技媒体貸機による遊技媒体の貸し出しを禁止する遊技媒体貸出装置が知られている（特許文献３）。
【特許文献１】特許第３０８７０３９号公報
【特許文献２】特開２００１−１９０７４８号公報
【特許文献３】特開２００１−２５９１２０号公報
【発明の開示】
【発明が解決しようとする課題】
【０００４】
しかし、従来の遊技媒体貸出装置等では、遊技媒体の貸出制御を行う信号若しくは情報を、雑音や信号干渉若しくは周辺装置の動作過程による影響から防護して、錯誤が無く効率的なメダルの貸出制御を実行することができなかった。
【０００５】
そこで本発明では、遊技媒体の貸出制御を行う信号若しくは情報を、雑音や信号干渉若しくは周辺装置の動作過程による影響から防護して、錯誤が無く効率的なメダルの貸出制御を実行可能な遊技媒体貸出装置を提供することを目的とする。
【課題を解決するための手段】
【０００６】
上記課題を解決するための本発明は、有価媒体の投入に基づいて遊技媒体が貸し出される遊技媒体貸出装置において、有価媒体の判別と移送若しくは格納および前記遊技媒体の供給と払出しとを司る遊技媒体貸出制御装置を備え、この遊技媒体貸出制御装置は、前記紙幣取扱部と前記メダル払出部とに設けられる各センサによって検出される遊技媒体貸出制御信号の有無、あるいは、遊技媒体貸出制御信号の有無の経過時間、複数種類の遊技媒体貸出制御信号の関係若しくは組合わせに基づいて、真正な遊技媒体貸出制御情報を生成する遊技媒体貸出制御情報形成手段を備えることを特徴とする。この遊技媒体貸出装置を用いると、遊技媒体の貸出動作の起動や進展に伴って当該遊技媒体貸出装置やメダル補給装置若しくは紙幣搬送装置などから発生するノイズや他の信号若しくは制御過程に干渉されず錯誤の無い効率的な遊技媒体の貸出制御を行うことができる。
【０００７】
尚、真性とは、他の信号、他のセンサによる検出、他の信号との関係や組合わせによっては、遊技媒体の払出と有価媒体の収容制御を行えないものとするものである。
遊技媒体貸出制御手段とは、後述する主制御部と、紙幣取扱部と、メダル払出部とを少なくとも含むメダル貸機に設けられる複数の制御手段から構成される。
【０００８】
各センサとは、後述する紙幣判別センサ、紙幣満杯センサ、位置決めセンサ、紙幣収納センサ、紙幣移動検出センサ、カウントセンサ、メダル有無センサなどを云う。
遊技媒体貸出制御情報形成手段は、後述する紙幣取扱部、メダル払出部、主制御部によって構成され、図１５、図１６、図１８、図１９、図２０、図２１の各フローチャートで例示された制御ステップが相当する。なお、図１８のフローチャートのＳ４５１〜Ｓ４６４の処理はメダル払出し異常解除手段を構成する。
【発明の効果】
【０００９】
有価媒体の投入に基づいて遊技媒体が貸し出される遊技媒体貸出装置において、有価媒体の判別と移送若しくは格納および前記遊技媒体の供給と払出しとを司る遊技媒体貸出制御装置を備え、この遊技媒体貸出制御装置は、前記紙幣取扱部と前記メダル払出部とに設けられる各センサによって検出される遊技媒体貸出制御信号の有無、あるいは、遊技媒体貸出制御信号の有無の経過時間、複数種類の遊技媒体貸出制御信号の関係若しくは組合わせに基づいて、真正な遊技媒体貸出制御情報を生成する遊技媒体貸出制御情報形成手段を備えるものであり、これによって遊技媒体貸出制御手段に設けられたセンサにより検出した信号や遊技媒体貸出制御手段の駆動信号をそのまま遊技媒体の貸出制御に使用することのほか、遊技媒体貸出制御手段を含む関連部材から誘起されるノイズや他の信号による干渉或いは遊技媒体貸出制御手段を構成する各部のレスポンスにも影響されない信頼性のある遊技媒体の貸出制御を行うことのできる遊技媒体貸出装置を提供することができる効果を生じる。
（１−１）
紙幣取扱部２は、投入された紙幣が真券であった場合、真券信号（ＶＥＮＤ信号）を主制御部４に出力する手段を備え、主制御部４は、防護手段として、真券信号（ＶＥＮＤ信号）が出力されてから予め定められた時間（８０ｓ）経過してから、真券を検出したことを示す制御信号である真券確認信号（ＯＫＲＴＮ信号）を出力する手段を備えている（Ｓ３４０）。尚、真券信号（ＶＥＮＤ信号）の出力を停止したら、直ちに真券確認信号（ＯＫＲＴＮ信号）の出力を停止してもよい。
【００１０】
このようにすれば、真券信号（ＶＥＮＤ信号）が入力されてから所定時間経過してから真券確認信号（ＯＫＲＴＮ信号）を出力しているので、他の信号データの干渉やノイズの影響のない真券確認信号（ＯＫＲＴＮ信号）の授受を行うことができる。
（１−２）
図１７（ｂ）の売上出力の信号について示したように、遊技媒体貸出制御情報形成手段には、真券判定後、受入紙幣枚数を加算し、真券信号（ＶＥＮＤ）判定後一定時間（２秒）後、外部の遊技場管理装置１１０に、投入された紙幣金額分の売り上げ信号を出力する、売上情報出力手段を設けるものとして構成してもよい。
【００１１】
このようにすれば、真券信号（ＶＥＮＤ）判定が確定された後に売り上げ信号が出力されることとなり、メダル貸機１によるメダルの貸出に伴って行われる入金処理を錯誤なく真正なものとして計上することができる。
（１−３）
遊技媒体貸出制御情報形成手段には、真券信号（ＶＥＮＤ）を判定すると判定から一定（２秒後）時間後に売上出力を、リレー接点のオンオフによりパルス出力する売上信号出力手段を設けるものとして構成してもよい。図１７（ｂ）では、売上出力の信号について、１００ｍｓ毎に信号を出力しているが、ここでは、この出力している信号を言う。
【００１２】
このようにすれば、パルス入力をデジタル信号として演算処理をすることが行えるので信号変換に伴うエラーが発生することも無く、メダル貸機１と遊技場管理装置間における伝送もノイズに影響され難く、メダル貸機１によるメダルの貸出に伴って行われる入金処理を誤りの無い適正なものとすることができる。
【００１３】
また、このようにすれば、計数演算に都合よいデジタル信号としてそのまま演算制御できるとともに遊技場管理装置は、メダル貸機から遠方に設置されることが多いので、売上信号をこのようにパルス信号化すれば、他の信号データの緩衝やノイズの影響のない売上信号の授受を行うことができる。
（１−４）
遊技媒体貸出制御情報形成手段には、メダル払出部６のホッパーに組み込まれたカウントセンサ６０ｅによりカウントパルスを計数してメダルの払出枚数を判定し、所定のカウントパルスが計数された場合に（Ｓ４１６：ＹＥＳ）ホッパーを停止制御するとともに（Ｓ４１７）、ホッパーの停止は所定枚数のメダルカウントパルス波の立ち下がり毎を判定して実行するメダル払出し停止制御手段を設けて構成してもよい。（パルスの巾内であれば検出時間には巾とずれを生じる。波形の立ち下がりは瞬時に確定される）
これによりメダルの払出精度が高められるとともに、直ちに払出し動作を停止できる効果を生じる。
（１−５）
遊技媒体貸出制御情報形成手段には、メダルの計数判定は、ホッパー動作により形成されるメダルカウントパルス波のＨＩレベルが一定時間（１０ｍｓ）以上継続した場合に（Ｓ４１４）、メダルが１枚正常に払出されたものとする、とともにメダルカウントパルス波の立ち下がり検出に基づいてホッパーの駆動信号をＯＦＦし、ホッパー駆動モータ６２ａを停止する、メダル計数制御手段を設けるものとして構成してもよい。
【００１４】
遊技媒体貸出制御情報形成手段により形成された遊技媒体貸出制御情報に基づいて、有価媒体の投入若しくは遊技媒体の供給制御に係わる異常を判定する貸出異常判別手段を設け、貸出異常判別手段により判別される異常の有無若しくは異常の種別により、有価媒体投入後における遊技媒体貸出制御による有価媒体若しくは遊技媒体についての制御内容を切り換える遊技媒体制御切換手段を設けるものとしてもよい。
【００１５】
これにより、遊技媒体貸出制御情報形成手段により形成された制御情報に基づいて適正にメダルの貸出制御を切換えることができるので、メダル貸出動作が異常な貸出制御がなされることを防止することができる。
（２−１）
貸出異常判別手段には、紙幣取扱部２からの紙幣搬送動作中信号を一秒間継続して有り信号（ＨＩ）検出した後、搬送動作中信号（ＢＵＳＹ）と真券信号（ＶＥＮＤ）とを同時に検出した場合（図１７（ａ））にのみ真券信号有りと判定する、真券判定制御手段を設けるものとして構成してもよい。
【００１６】
これによって真券の判定を正確に行うことができる効果を生じる。
（２−２）
貸出異常判別手段には、千円分のメダル払出し中に、所定時間（２秒）以上のカウントセンサ６０ｅ入力の空白が、所定回数（５回）発生した場合、或いは待機中にカウントセンサが所定枚数（５枚）メダル計数を行った場合には、不正発生と判定する不正判定制御手段（Ｓ６７１：ＹＥＳ）を構成するものとしてもよい。真券の判定を正確に行うことができる。
【００１７】
これによって不正によるメダルの貸出供給がなされることを防止することができる。
（２−３）
貸出異常判別手段には、紙幣取扱部２において紙幣満杯信号が一定時間（１００ｍｓ）以上検出された場合に紙幣満杯制御を実行する紙幣満杯制御手段（Ｓ５３０）が設けられるものとしてもよい。紙幣満杯状態が満杯に至らない状態を含む不確定な状態でのメダルの貸出処理が実行されることを防止することができる。
（２−４）
貸出異常判別手段には、メダル不足であって、メダル有無センサによるメダル無し検出と、 所定枚数の払出し判定とに基づいてメダル不足を判定し（Ｓ６１０）、メダル不足を表示する（Ｓ６１１）、メダル不足判定表示制御手段を有する構成としてもよい。
【００１８】
これにより、メダルの有り無しとメダル量の充足とを格別に分けて表示し、メダル欠乏に対する遊技場側の的確な対応が行えるものとすることができる。
（２−５）
貸出異常判別手段には、メダル詰りであって、ホッパー起動中に一定時間（３秒間）カウントセンサ６０ｅがＬＯ、又はＨＩのまま変化無いことによりメダル詰りを判定するメダル詰り判定制御手段（Ｓ６４０）を設けてもよい。
【００１９】
メダル詰まり判定制御手段を構成して、メダル詰りの判定を複数の条件それぞれにおいて判定することとしてメダル詰まり判定に洩れが生じることを防止することができることなる。
（２−６）
遊技媒体制御切換手段には、真券判定制御手段により真券の判定ができない場合、若しくは不正判定制御手段（Ｓ６７０、Ｓ６７１）によって不正が判定された場合、あるいは紙幣満杯制御手段によって紙幣満杯が判定された場合（Ｓ５３０）、メダル不足判定表示制御手段（Ｓ６１３，Ｓ６１４）によってメダル不足が判定された場合、メダル詰り判定制御手段（Ｓ６４０）によりメダル詰まりが判定された場合などの貸出異常判別手段より、何れかのメダルの貸出制御についての異常判定がされたことに基づいて入金禁止とする入金禁止手段を構成するものとしてもよい。
【００２０】
これによって、偽札の使用や不正や障害が発生しているのにも係わらず、メダルの払出制御にも対応できない入金処理が実行されることを防止することができる効果を生じる。
（２−７）
遊技媒体制御切換手段には、貸出異常判定手段による異常判定がされた場合にも、投入された紙幣金額を遊技場管理装置１１０に売上出力することを許容する場合を認める売上出力手段を有する構成としてもよい。これによって不正が判定され若しくは真券信号が判定されない場合には、遊技場管理装置１１０に売上信号を出力せず、メダル不足が判定された場合には遊技場管理装置１１０にメダルの充足を待たずに売上信号をすることができ、効率的なメダルの貸出制御を実現することができるものとなる。
（２−８）
遊技媒体制御切換手段には、貸出異常判定手段による異常の判定に対応して復旧処理をする貸出制御復旧手段を設ける構成としてもよい。
（２−９）
貸出制御復旧手段には、リセットスイッチ４５と、電源スイッチとの複数のリセット手段が設けられる構成としてもよい。このようにすれば、異常時にメダル貸機を初期の状態に戻すことがメダル貸機の障害の状況に対応可能な何れかの一を選択して復旧させることができる効果を生じる。
（２−１０）
貸出制御復旧手段には、払出テストボタン６０ｂを構成としてもよい。
【００２１】
このようにすれば容易にメダルの払出動作についての正常異常が判別できるとともに異常の詳細を確認することもできるものとなる。
（２−１１）
払出テストボタン６０ｂによる払出しテストが予め設定された条件下においては、メダルの払い出しを禁止する払出しテスト禁止条件設定手段をメダル貸機１に設けてもよい。このようにすれば、払出テストの実行によって不必要なメダルが払い出されたり、正規の払出制御に障害が発生することを防止することができる。
（２−１２）
払出テスト禁止条件設定手段によって設定される払出し禁止条件が、メダル貸機１における電源電圧の低下検出、メダル貸機１のイニシャル動作中（Ｓ２００）、真券信号の判定から投入紙幣分のメダル払出が完了するまで（Ｓ３００〜Ｓ４００）、不正の判定などによる異常検出時（Ｓ５００、Ｓ６００）、メダル貸機１におけるリセット及びクリア処理中において払出しテストを禁止するものとするものとして構成してもよい。
【００２２】
このようにすれば、払出テストが、他のメダル貸出しに関する制御工程に係わらず実行されることによる故障などの障害発生や、メダルの不正払出などにも繋がるメダルの供出がされることを防止することができる。
（２−１３）
払出テストボタン６０ｂによる払出しテストを、テスト払出しの回数とテスト時におけるメダル払出し枚数とを制限する、払出し動作制限手段を有する構成としてもよい。
【００２３】
このようにすれば、払出テストの実行によって不必要なメダルが払出されたり、正規の払出制御に障害が発生することを防止することができる。
（２−１４）
貸出制御復旧手段には、電源電圧の低下によって実行されなかった払出し制御信号を再出力する払出し信号再出力手段を設ける構成としてもよい。
【００２４】
このようにすれば、予想の困難なあるいは抑制できない電源電圧の低下によってメダルの払出が起動されず払出途中で中断した場合においても、払出信号の再出力によって投入された紙幣（入金金額）に対応したメダルの払出が実行されるので、改めて紙幣投入とメダルの払出制御をリプレイする必要がなくなるとともに、紙幣を投入した遊技者とメダルを払出す遊技場側とにおけるトラブルの発生を防止することができる。
（２−１５）
貸出制御復旧手段には、払出し途中の停電後の復旧に対応して記憶した残り枚数分の払出しメダルを払出す残りメダル払出制御手段を有してもよい。
【００２５】
これにより、メダル貸機１の異常からの復旧時に、払出されるべきメダルが払出されず遊技者に不測の不利益が与えられトラブルが生じることを防止することができる。
（２−１６）
貸出異常判別手段による異常判別結果が、ホッパ駆動モータ６２ａのロック若しくはメダルの空払出し動作等によりメダル詰まり若しくは複数枚のメダルによってブリッジが生じたものと判定したものである場合に、メダル詰まり若しくはブリッジを解消するための、メダル払出し異常解除手段（Ｓ６４１）を有するメダル貸機１を構成してもよい。
【００２６】
このようにすれば、手作業によってメダル払出部からメダルを取除く修理作業をしなくても、簡便にメダル払出障害を解除され効率的なメダル貸出制御を行うことのできる効果を生じる。
（２−１７）
ホッパー駆動モータ６２ａの駆動を逆転し、停止し、正転し、この逆転と停止動作を含む払出し異常解消動作を複数回実行するメダル払出し異常解除手段（Ｓ４５１〜Ｓ４５４）をメダル貸機１に構成してもよい。このようにすれば、詰まったメダルに対する解除作用力が正逆複数の方向から付与されるとともに、一旦解除作用を停止した後、再び異なる方向より解除作用を附勢するものともなり、極めて困難なメダル詰りも容易に解除することができる効果を生じる。
（２−１８）
払出モータとなるホッパ駆動モータ６２ａを、複数回（２回）実行してもメダル詰まりの解除がされない場合は（Ｓ４６０：ＮＯ）、メダル詰りの異常表示をするとともにホッパーを停止する、メダル詰り表示制御手段を設ける構成としてもよい。このようにすれば、解除不能なメダル詰りを迅速かつ的確に判断して、メダル払出部の修理若しくは交換をメダル貸機１の管理者に報知して、効率的なメダル払出装置６の保守作業を実行させる効果を生じる。
（２−１９）
貸出異常判別手段には、メダル有無センサ６４ａによるメダル無し検出と、 所定枚数の払出し判定とに基づいてメダル不足を判定し（Ｓ６１０）、メダル不足を表示するとともにメダル補給装置１３０にメダル補給要求信号を出力するメダル不足判定制御手段を有する構成としてもよい。このようにすれば、メダル貸機１で払出用に待機されるメダルが欠乏する以前に実行される払出の動作に起因したメダル補給を要求することができ迅速かつ効率的なメダル補給が行えるとともに、仮にメダルが無くなった場合にあってもメダル貸機１で発生したメダルの補給要求をメダル補給装置１３０に出力することができ、併せてメダルの有無と不足とをメダル貸機１における表示手段で表示することもできる効果を生じる。
（２−２０）
貸出異常判別手段には、紙幣の引抜きであって、真券信号（ＶＥＮＤ信号）判定後メダル払出し終了までに、紙幣詰り信号（ＪＡＭ信号）と真券信号（ＶＥＮＤ信号）とを同時に検出した場合、或いは、紙幣詰り信号（ＪＡＭ信号）と搬送動作中信号（ＢＵＳＹ信号）とを同時に検出した場合には（Ｓ５２３，Ｓ５２４）、紙幣引抜き異状と判定する、紙幣引抜き判定制御手段が設けられるメダル貸機１の構成としてもよい。このようにすれば、メダル貸出し装置よりの不正な紙幣の引抜き行為や、メダル貸機１への紙幣引抜き操作によるメダル貸機１における障害の発生を未然に阻止することのできる効果を生じる。
（３）
メダル貸機１に接続可能にされる紙幣搬送装置１２０の接続の有無により、メダル貸機１と紙幣搬送装置１２０間における制御内容を切換える接続タイプ別メダル貸出制御切換手段を設けるものとしてもよい。
【００２７】
これによって、同一の当該メダル貸機１によって、紙幣搬送装置１２０に連係させて紙幣を遊技場の島に設けられた金庫１２１ａに搬送して格納するメダルの貸出制御が行える遊技場設備システムを構成することができるとともに、メダル貸機１内において投入された紙幣を収容し手操作により金庫１２１ａに格納する遊技場の紙幣取扱形態を構成することの何れの構成に対してもメダル貸機１によって遊技場側の遊技設備の形態と要望に応じて適宜設定変更できる効果を生じる。
（３−１）
メダル貸機１に接続可能にされる紙幣搬送装置１２０の接続の有無によりメダル貸機１と紙幣搬送装置１２０間における制御内容を切り換える接続タイプ別メダル貸出制御切換手段をディップスイッチ４６の切り換え設定により変更するものとする構成としてもよい。これにより、簡便なディップスイッチ４６への操作により、メダル貸機１内において投入された紙幣を収容し手操作により金庫に格納する遊技場の紙幣取扱形態を構成することの何れの構成に対してもメダル貸機１は遊技場設備の形態と要望に応じて迅速かつ容易に変更できる。
（３−２）
紙幣搬送装置１２０接続時には、真券信号（ＶＥＮＤ信号）が入力された後、メダル払出し開始から完了までに紙幣詰まり信号（ＪＡＭ信号）が入力された場合に（Ｓ５０４）、紙幣詰りと判定し、一方、紙幣搬送装置１２０未接続時には、真券信号（ＶＥＮＤ信号）が入力された後、一定時間内に収金格納信号検出できないと（Ｓ５０３）紙幣詰りと判定する接続タイプ別メダル貸出制御切換手段を設けてもよい。これにより、紙幣搬送装置１２０がメダル貸機１に接続されて遊技場に設けられた金庫に自動搬送する場合にも、紙幣取扱部２０が接続されずメダル貸機１の紙幣取扱部２において収納する場合にも、メダル貸機１における紙幣の移送態様に対応してそれぞれ紙幣詰りを判定することができる効果を生じる。
（３−３）
図７（ｂ）に示すように、紙幣搬送装置１２０が接続されていない場合には、紙幣が真券と判定された後、メダル貸機１に収納されて収金確認信号（ＥＮＤ信号）が検出されると直ちにホッパ駆動モータ６２ａを起動し、収金確認信号（ＥＮＤ信号）の未検出の場合は、一定時間（２秒後）にホッパ駆動モータ６２ａを起動する一方、図７（ａ）に示すように、紙幣搬送装置１２０が接続されている場合には、紙幣が真券と判定された後直ちにホッパ駆動モータ６２ａを起動するメダル払出し開始制御手段を有する接続タイプ別メダル貸出制御切換手段の設けられたメダル貸機１を構成してもよい。このようにすれば、メダル貸機１に紙幣が投入されて真券であると判定されば、メダルの貸出制御が開始され、紙幣詰りなどによりメダル補給装置１３０内で紙幣が停留した場合にも遅れること無くメダルの払出を実行することができるので、遊技者のメダルを使用した遊戯が阻害されることがなくなる効果を生じる。
（４）
メダル貸機１にメダル補給装置１３０からのメダルを供給する通路が連通されるとともにメダル補給要求接点が信号出力可能側に切り換えられた場合には、メダル有無センサ６４ａが一定時間メダル無しを検出した場合にはメダル要求信号をメダル補給装置１３０に出力し、メダル補給要求接点が信号出力不能側に切換えられた場合にはメダル要求信号の出力が禁止され、メダル貸機１においてはメダル不足表示出力のみを行う接続タイプ別メダル貸出制御切換手段を有する構成としてもよく、接続タイプ別メダル貸出制御切換手段をディップスイッチの切り換え設定により、メダル補給装置１３０をメダル貸機１に連係させてメダルをメダル貸機１に自動補給する遊技場設備のシステム構成と、手操作によりメダルを補給してメダル貸機１からメダル補給装置１３０へのメダル要求信号を無効なものとする遊技場設備とに変更するものとする構成としてもよい。
【００２８】
これによって、メダル貸機１は、メダル自動補給設備の設けられた遊技場にもメダルの自動補給設備の設けられない遊技場の何れにも設置することができるものとなり、また将来の遊技場におけるシステム構成にも対応できるメダル貸機１として当該遊技場に設置できる効果を生じる。
【００２９】
なお、メダル貸機１にメダル補給装置１３０からのメダルを供給する通路が連通されるとともにメダル貸機１に設けられたメダル補給要求出力接点が信号出力可能に切り換えられた場合であって、メダル有無センサ６４ａが一定時間（２秒間）メダル無しを検出した場合には、メダル補給要求信号をメダル補給装置１３０に出力可能とする、接続タイプ別メダル貸出制御切換手段を有するメダル貸機１としてもよい。
（５）
メダル貸機１にメダル補給装置１３０からのメダルを供給する通路が連通されるとともにメダル有無センサ６４ａによりメダル不足が検出された場合には、メダル貸機１に設けられたメダル補給要求出力端から出力可能にされる信号形態を、接続する格別のメダル補給装置１３０の異なる信号の形態に適合する信号として出力するメダル要求信号切換設定手段（メダル補給要求出力回路５６）を有する構成としてもよい。
【００３０】
これにより、メダル貸機１が接続される遊技場のメダル補給装置１３０のそれぞれに対応した信号形式に切換え設定することにより、同一のメダル貸機１を異なるメダル補給装置１３０に接続してメダルの自動補給を行うことのできるメダル貸出システムを構成することができる。
（その他）
７セグメントＬＥＤ４１を用いて、中央制御装置５０が、正常時には青、異常時には赤（Ｓ７３１）、メダル払出テスト時には黄（Ｓ４５８）でメダルの枚数を表示しているので、メダル貸機１がどのような状態であるか一目で分かる。
【００３１】
中央制御装置５０が、Ｓ７４１〜Ｓ７６１の処理により、投入された紙幣の枚数の表示を、表示を行ってから５秒経過し、操作がなかったら表示を消す処理を行っている。このように、投入された紙幣の枚数に関する表示を、一定の時間範囲で制限して表示することで、メダル貸し出しに関する遊技者のプライバシーが維持できるとともに、７セグメントＬＥＤ４１における電力消費を軽減して長時間に亙って遊技場で運転され続けるメダル貸機１の維持費を削減することができる。
【００３２】
補給ランプ４３は、メダル不足処理（Ｓ４３１〜Ｓ４３６）を実行しているときに点灯され、中止ランプ４２も、補給ランプ４３の点灯後の所定時間後に点灯される。そのためこのメダル貸機１は、メダル貸機１内での貸出用のメダルが不足し、メダルの貸し出しが停止した状態であることを案内表示することが可能となる。ゆえに、このメダル貸機１を用いると、メダルの貸し出しのタイミングがメダルの補給を行うために遅れても、なぜ遅れているかが店員及び遊戯者ともに確認できるので、メダル貸し出しの遅れのための苦情に対し適切に処理することができる。
【００３３】
メダル貸機１は、メダル有無センサ６４ａが２秒間継続してメダル不足を検出すると補給ランプ４３が点滅して点灯し、店員にメダルの補給を促す構成となっている（Ｓ４１１〜Ｓ４３１）。すなわち、このメダル貸機１は、単に補給ランプ４３を点灯するだけでなく、点滅させているので、単に点灯するだけの場合に比べ、メダルが不足していることを報知する報知効果を上げることができる。
【００３４】
メダル貸機１は、待機中に、ＪＡＭ信号を一定時間（１００ｍｓ）以上検出した場合（Ｓ５１０）、ＶＥＮＤ信号を一定時間（４５１ｍｓ）以上検出した場合（Ｓ５１３）、あるいは、ＥＮＤ信号を一定時間（１００ｍｓ）以上検出した場合（Ｓ５１４）、紙幣判別異常と判別している。このようにすることで、メダル貸機１は、他の信号データの干渉やノイズの影響などから防護してメダル詰まりに関する信号を通信することが可能となり、その信号によるメダル詰まりの検出若しくは判定を適格に実行することができる。
【００３５】
メダル貸機１は、紙幣取扱部２内に収納された紙幣が満杯になったことが紙幣収納センサ３０ｅで検出され、紙幣が満杯であることを示すＦＵＬＬ信号が一定時間（１００ｍｓ）以上出力した場合に紙幣満杯と判定している（Ｓ５３０）。
【００３６】
メダル払出部６に紙幣取扱部２が接続された場合と接続されない場合とで、紙幣を収納する先を切り換えているので（Ｓ３４１）、紙幣取扱部２が設置されている店舗に対しても、設置されていない店舗に対しても設置することができる。
【発明を実施するための最良の形態】
【００３７】
以下、本発明が適用された最良の実施の形態について説明する。
[メダル貸機１]
ここで、図１は、本実施形態のメダル貸機の斜視図である。図２は、メダル貸機の分解斜視図である。
【００３８】
本実施形態のメダル貸機１は、図２に示すように、このメダル貸機１の筐体１０の前面部分が開口し、この開口部１０ａが、図１に示すように、上蓋１１と中蓋１２と下蓋１３とで覆設されている。そして各蓋１１〜１３で覆われる部分の筐体１０の内部には、図２に示すように、紙幣取扱部２、主制御部４、メダル払出部６が、この順に上から収納される。このうち、紙幣取扱部２は、上蓋１１で覆われる部分に収納され、主制御部４は、中蓋１２で覆われる部分に収納され、メダル払出部６は、下蓋１３で覆われる部分に収納されている。また、各蓋１１〜１３には鍵穴αが設けられ、この鍵穴αを使って鍵をかけると、各蓋１１〜１３は筐体１０に固定される。そして、これら各蓋１１〜１３が筐体１０に固定されることによって、各部２〜６も筐体１０内に固定される。
【００３９】
上蓋１１は、紙幣取扱部２が筐体１０内に収納されたときに、紙幣取扱部２に備えられた投入口２５及び案内庇２６が対向する部分に、開口窓が設けられている。そして、本実施形態のメダル貸機１では、紙幣取扱部２を筐体１０内に収納して上蓋１１を取り付けると、案内庇２６が上蓋１１から前方側に向かって突出するとともに、投入口２５が露出する。そのため、本実施形態の紙幣取扱部２では、上蓋１１を閉じても、これら投入口２５及び案内庇２６を用いて紙幣取扱部２内に紙幣を投入することができる。
【００４０】
中蓋１２は、主制御部４が筐体１０内に収納されたときに、主制御部４に備えられた７セグメントＬＥＤ４１、中止ランプ４２、及び、補給ランプ４３が対向する部分に、開口窓が設けられている。そして、本実施形態のメダル貸機１では、主制御部４を筐体１０内に収納して中蓋１２を取り付けると、７セグメントＬＥＤ４１、中止ランプ４２、及び、補給ランプ４３が露出する。そのため、本実施形態の紙幣取扱部２では、上蓋１１を閉じても、これら７セグメントＬＥＤ４１、中止ランプ４２、及び、補給ランプ４３の表示を確認することができる。
【００４１】
下蓋１３は、メダル払出部６から排出されるメダルを貯留する受け皿１３ａを備えている。
筐体１０は、開口部１０ａ以外の５面は板状材で形成されている。このうち、各蓋１１〜１３が取り付けられる開口部１０ａ側に対向する板状材の内壁には、図２に示すように、複数の通信用コネクタβが設置され、これらコネクタβは、各部２〜６が収納される部分に対向する各位置に設置されている。各部２〜６は、図示しない案内レールに案内され、筐体１０内に収納されると、これらコネクタβに接続された状態で収納される。そして、前述した各蓋１１〜１３を筐体１０に鍵を使って固定すると、各部２〜６は、コネクタβに接続された状態で筐体１０内に固定される。また各部２〜６は、これらコネクタβに接続されることにより、各部２〜６の相互間で通信が可能となるとともに、外部とも通信可能な状態となる。また、各部２〜６は、各装置の筐体１０への収納方向に沿った長さが異なるため、各コネクタβは、各部２〜６が筐体１０内の収納位置に収納されたとき、各コネクタβに接続されるように、それぞれ高さの異なるコネクタ支持台γを用いて、高さ調整された状態で設置されている。
【００４２】
またこのメダル貸機１は、商用電源から電力を取り込み、メダル貸機１に電力を供給する電源部８を備えている。この電源部８は、メダル払出部６が接続されるコネクタβを支持しているコネクタ支持台γの下方に設置される。この電源部８は、ノイズ除去装置８０を備え、モータ等用のＤＣ２４Ｖと中央制御装置５０等の電子回路用のＡＣ５Ｖの２種類の電力を、このノイズ除去装置８０を介して供給することができる。
【００４３】
このように構成された本実施形態のメダル貸機１では、筐体１０から、各部２〜６を取り出した後、再び筐体１０内に収納する場合、各部２〜６を図示しないレールに案内させて個別に押し込み、そして蓋１１〜１３を閉じるだけで、各コネクタβに接続した状態で各部２〜６を筐体１０内に固定した状態で収納することができる。従来、通信線は、一端が筐体１０側に固定され、その固定部分である引出点から引き出された遊端側にコネクタが取り付けられていた。そのため、各部２〜６を筐体１０内に収納する際、そのコネクタを開口部１０ａ側に引き寄せ、各部２〜６とコネクタとをまず接続し、その後各部２〜６を筐体１０に収納していた。このような構成の場合、通信線が、各部２〜６の収納位置に位置することがあるので、図示しないレールと各部２〜６との間に挟まるなどして断線することがあった。しかし、本実施形態のメダル貸機１ではコネクタβが固定されており、通信線は、コネクタβと筐体１０の引出点との間に配線され、各部２〜６の収納位置に位置することがないので、各部２〜６とレールとの間に通信線を挟んで断線することがない。
[紙幣取扱部２]
次に、各部２〜６について説明する。
【００４４】
尚、以下の説明において、筐体１０の開口部１０ａ側を前方として説明する。
ここで、図３及び図４は、共に紙幣取扱部２の斜視図であり、このうち図３は、前方蓋部２１、後方蓋部２２、および、上方蓋部２３を開け、中央蓋部２４を上方蓋部２３から取り外した様子を示している。図４は、上方蓋部２３を開けた図である。
｛外部構成｝
紙幣取扱部２は、図３に示すように、紙幣を収納する紙幣取扱部本体２０と、この紙幣取扱部本体２０の前方側を開閉する前方蓋部２１と、紙幣取扱部本体２０の後方側を開閉する後方蓋部２２と、紙幣取扱部本体２０の上方側を開閉する上方蓋部２３とを備えている。また、上方蓋部２３の中央部分には、紙幣が投入された様子を観察可能な観察窓２３ａが形成されており、その観察窓２３ａには、中央蓋部２４が嵌め込まれている。この中央蓋部２４は、上方蓋部２３から取り外し可能に構成されている。さらに、この紙幣取扱部本体２０の前方側側面の上よりには、紙幣の投入口２５が開口するとともに、この投入口２５の下方側の縁部から前方に向かって突設された案内庇２６が備えられている。この紙幣取扱部２では、この案内庇２６の上に紙幣をおいて、紙幣の先端を投入口２５に向かって押すと、紙幣をスムーズに投入口２５に投入することができる。
（仕切板２７−検出部２０ａ、収納部２０ｂ）
また、この紙幣取扱部２は、図４に示すように、紙幣取扱部本体２０内の上よりに、この紙幣取扱部２を上下に分ける仕切板２７が形成されている。以後、この仕切板２７で区切られた部分のうち、上方側を検出部２０ａ、下方側を収納部２０ｂ（図３参照）と呼ぶ。このうち、検出部２０ａは、前方側が、前述した投入口２５が形成されることによって開口し、後方側が、仕切板２７を貫通する送出口２８（図３参照）によって下方の収納部２０ｂに向かって開口している。そのため、紙幣は、投入口２５から検出部２０ａに投入されると、この検出部２０ａを通過し、送出口２８を介して収納部２０ｂに収納される。また、こうして収納部２０ｂに収納された紙幣は、前方蓋部２１を開けることで外部に取り出すことができる。また、この紙幣取扱部２は、後述する紙幣搬送装置１２０に接続されることがあり、この紙幣搬送装置１２０が接続された場合は、検出部２０ａに投入された紙幣は、送出口２８を通過した後、紙幣搬送装置１２０によって外部に搬送される。
【００４５】
この仕切板２７には、投入口２５から検出部２０ａに挿入された紙幣を送出口２８に送る一対の搬送ベルト２９と、各種センサ３０が設置されている。このうち搬送ベルト２９は、具体的には、観察窓２３ａの窓枠に当る部分の上方蓋部２３のうち、紙幣を送る搬送方向（投入口２５から送出口２８に向かう方向）に沿った部分２３ｂ、２３ｃに対向する仕切板２７上に、搬送方向に沿ってそれぞれ設置されている。また、この仕切板２７に取り付けられているセンサ３０は、３種類あり、中央蓋部２４に対向する位置に設置され、２種類のセンサ（紙幣判別センサ３０ａ、及び、位置決センサ３０ｂ）と、搬送ベルト２９の近傍に、この搬送ベルト２９の長手方向に沿った投入口２５側に取り付けられている投入検出センサ３０ｃである。
（前方蓋部２１）
前方蓋部２１は、紙幣取扱部本体２０の前方側側面に設けられた開口であって収納部２０ｂに通じる開口（以下「前方開口」という）を開閉可能な蓋部である。この前方開口は、案内庇２６の下方で開口し、収納部２０ｂに投入された複数枚の紙幣を一度に取り出し可能な大きさに形成されている。そして、前方蓋部２１はこの前方開口を開閉可能な大きさに形成されている。また、この前方蓋部２１は、その下端が、紙幣取扱部本体２０の前方側側面の下端に対し回動可能に連結されている。そして、この前方蓋部２１の上端には、指を引掛ける引掛口２１ａが形成されている。そのため、この前方蓋部２１は、その引掛口２１ａに指をかけて手前に引くと、前方開口を開けることができる。
（後方蓋部２２）
後方蓋部２２は、紙幣取扱部本体２０の後方側側面全体を覆う大きさに形成されている。また、この後方蓋部２２は、その下端が、紙幣取扱部本体２０の後方側側面の下端に対し回動可能に連結されている。また、収納部２０ｂは後方側にも開口しており、後方蓋部２２はこの開口を開閉することができる。送出口２８で紙幣が紙詰まりをおこしたとき、この送出口２８は後方側に設けられているので、この後方蓋部２２を開ければ、送出口２８で詰まった紙幣を収納部２０ｂ側から取り除くことができる。また、後述する紙幣搬送装置１２０を取り付けるときは、この後方蓋部２２を開ければ、紙幣取扱部２の後方側から紙幣搬送装置１２０の端部を収納部２０ｂ内に接続することで、紙幣取扱部２と紙幣搬送装置１２０とを接続することができる。
（上方蓋部２３）
上方蓋部２３は、検出部２０ａのほぼ全体を上方に向かって開口可能な大きさに形成されている。この上方蓋部２３は、後方側端部が、紙幣取扱部本体２０の後方側に対し回動可能に連結されている。そのため、この上方蓋部２３は、その前端側を上方に引くと、検出部２０ａを開放することができる。このように上方蓋部２３を開くと、検出部２０ａで紙幣が詰まったときに、紙幣を直接取り除くことができる。
【００４６】
また、この上方蓋部２３の裏面には、搬送ベルト２９に対向する位置に、搬送ローラ２９ａが回転可能に設置されている。この搬送ローラ２９ａは、搬送ベルト２９の長手方向に沿って略等間隔に設置されている。この搬送ローラ２９ａは、上方蓋部２３を閉じると搬送ベルト２９と接触し、搬送ベルト２９が動くとこれに従って回転する。そのため、観察窓２３ａから紙幣を挿入すると、紙幣は、搬送ベルト２９と搬送ローラ２９ａとの間に挟まれ、送出口２８に向かって搬送される。
（中央蓋部２４）
中央蓋部２４は、上方蓋部２３に設けられた観察窓２３ａに対し着脱可能に取り付けられた蓋部である。前述した観察窓２３ａは、搬送ベルト２９や搬送ローラ２９ａの間に設置されているので、この中央蓋部２４を開けても、検出部２０ｂ内に投入された紙幣は搬送ベルト２９と搬送ローラ２９ａに挟まれたままである。そのため、動作試験等のとき、この中央蓋部２４を開けて搬送ベルト２９を動作させると、検出部２０ａないで紙幣が搬送されている様子を観察することができる。また、観察窓２３ａは紙幣を取り出すには十分な大きさに形成されているので、この中央蓋部２４をはずすことで、検出部２０ａ内で紙幣の紙詰まりが発生しても、その紙幣を取り除くことができる。
【００４７】
また、この中央蓋部２４の検出部２０ａ側にも、仕切板２７に設けられた各紙幣判別センサ３０ａに対向する位置に、紙幣判別センサ３０ａが設けられている。
｛内部構成｝
次に、紙幣取扱部２の内部構成について説明する。
【００４８】
ここで図５は、紙幣取扱部２、主制御部４、メダル払出部６の内部構成を示す模式的なブロック図である。尚、図５中、紙幣搬送装置１２０、メダル補給装置１３０、貯玉会員管理装置１４０については点線で示してあるが、これは、これらの装置１２０，１３０，１４０がメダル貸機１に接続されていなくても、メダル貸機１を利用できることを示している。
【００４９】
紙幣取扱部２は、内部構成としては、図５に示すように、紙幣判別センサ３０ａ、位置決センサ３０ｂ、投入検出センサ３０ｃ、紙幣満杯センサ３０ｄ、紙幣収納センサ３０ｅ、及び紙幣収納センサ３０ｆを備えている。さらに、この紙幣取扱部２は、図示はしていないが、搬送ベルト２９（図４参照）を駆動する搬送ベルトモータ３１、コネクタ３３、制御装置３５とを備えている。そして、紙幣判別センサ３０ａ、位置決センサ３０ｂ、投入検出センサ３０ｃ、紙幣満杯センサ３０ｄ、紙幣収納センサ３０ｅ、紙幣収納センサ３０ｆ、搬送ベルトモータ３１、制御装置３５は、バス３９を介してコネクタ３３に接続されている。
【００５０】
紙幣判別センサ３０ａは、紙幣の真偽を判別するための磁気センサで、中央蓋部２４と仕切板２７とに設けられた互いに対向するもの同士が一組で機能する。この紙幣判別センサ３０ａを用いれば、これら中央蓋部２４及び仕切板２７に設けられた対になる紙幣判別センサ３０ａの間に紙幣を通過させると、紙幣の磁気インクによって、これらセンサ３０ａの間の磁気抵抗が変化するので、この磁気抵抗の変化により紙幣の磁気インクのパターンを読み取ることで、検出部２０ａ内に投入された紙幣が真性なものか否かを判定することができる。
【００５１】
位置決センサ３０ｂは、紙幣判別センサ３０ａが磁気抵抗の変化を検出する適切な位置に達したか否かを主に検出するフォトセンサである。この位置決センサ３０ｂは、搬送ベルト２９の間であって、紙幣判別センサ３０ａよりもやや投入口２５よりに設置されている。この位置決センサ３０ｂは、上方に向かって検出光を照射して、その反射光を受光し、その受光量に応じた信号を出力する。紙幣が紙幣取扱部２に投入され、位置決センサ３０ｂの上方に達すると、検出光は紙幣で反射する。すると、位置決センサ３０ｂが受光する受光量は、検出光が紙幣で反射する場合と、他の場合とでは異なってくるので、その受光量の変化を検出することで、紙幣が位置決センサ３０ｂの上方に到達したか否か等を判定する。
【００５２】
投入検出センサ３０ｃは、搬送ベルト２９の投入口２５側の先端に取り付けられており、投入口２５から紙幣が投入されたか否かを主に検出するフォトセンサである。この投入検出センサ３０ｃの動作原理は位置決センサ３０ｂと同様である。
【００５３】
紙幣満杯センサ３０ｄは、紙幣取扱部２の収納部２０ｂに設けられたレベルセンサで、収納部２０ｂ内に収納された紙幣が満杯になったか否かを検出するセンサである。
紙幣収納センサ３０ｅは、紙幣取扱部２の収納部２０ｂに設けられたフォトセンサで、収納部２０ｂに紙幣が収納されたか否かを検出するセンサである。この紙幣収納センサ３０ｅの動作原理は、位置決センサ３０ｂと同様である。
【００５４】
紙幣搬送センサ３０ｆは、紙幣搬送装置１２０に取り付けられたフォトセンサで、紙幣取扱部２から紙幣搬送装置１２０に紙幣が移動しているか否かを検出するセンサである。この紙幣搬送センサ３０ｆの動作原理は、位置決センサ３０ｂと同様である。
【００５５】
搬送ベルトモータ３１は、搬送ベルト２９を正転あるいは逆転させることができるモータである。この搬送ベルトモータ３１は、正転信号、反転信号あるいは停止信号を受けると正転・反転あるいは停止して、搬送ベルト２９を紙幣が収納させる方向、あるいは逆方向に回転させて紙幣を取り込んだり、排出したり、あるいは収納途中で停止させることができる。
【００５６】
制御装置３５は、この紙幣取扱部２を制御する制御装置であり、コンピュータ装置からなる。
コネクタ３３は、紙幣取扱部２が筐体１０内に収納されたときに、コネクタβに接続されるよう、紙幣取扱部本体２０の背面側の後方蓋部２２上に設置されている。
【００５７】
[主制御部４]
ここで、図６は、主制御部４の説明図であり、（ａ）は正面図、（ｂ）は裏面図である。図７は、主制御部４の内部構成を示すブロック図である。
【００５８】
｛外部構成｝
主制御部４は、図６（ａ）に示すように、筐体４０の前方側側面に、並列に設置された７セグメントＬＥＤ４１と、中止ランプ４２と、補給ランプ４３と、表示ボタン４４と、リセットスイッチ４５が設置されている。このうち７セグメントＬＥＤ４１が、筐体４０の前方側側面のほぼ中央に設置され、中止ランプ４２及び補給ランプ４３が、７セグメントＬＥＤ４１の上方側に設置され、表示ボタン４４及びリセットスイッチ４５が７セグメントＬＥＤ４１の右方に設置されている。さらに言うと、中止ランプ４２及び補給ランプ４３は、中止ランプ４２が向かって左側、補給ランプ４３が向かって右側に配置されている。また、表示ボタン４４及びリセットスイッチ４５は、表示ボタン４４が向かって上方側、リセットスイッチ４５が向かって下方側に配置されている。
【００５９】
７セグメントＬＥＤ４１には、メダル不足、メダル詰まり、紙幣詰まり、不正行為等が発生した場合などに、それらを表す予め決められた記号が表示されたり、払出されるメダルの枚数に関する数字が表示される。この７セグメントＬＥＤ４１より発せられた光は、７セグメントＬＥＤ４１の前方側に配置されたレンズカバーを介して外部に放光される。この７セグメントＬＥＤ４１は、赤、青、黄の３色の表示が可能であり、メダル詰まりなどのなんらかの異常が発生した異常時は赤、正常にメダルを払い出しているときなどの正常時は青、払出テスト時は黄で点灯する。
【００６０】
中止ランプ４２及び補給ランプ４３は、発光ダイオードであり、中止ランプ４２は、点灯すると、メダルの払い出しが停止していることを示し、補給ランプ４３は、メダルの補給が必要であること示す。中止ランプ４２は、メダル貸機１の電源電圧が低下した場合や、後述する通信確立処理（Ｓ１００）、メカイニシャル処理時（Ｓ２００）、メダル不足処理（Ｓ４３１〜Ｓ４３６）、メダル詰まり処理（Ｓ４５１〜４６４）等を実行している場合や、メダル貸機１においてなんらかの異常が発生した場合等、メダルの貸し出しを正常に行えないため、メダルの貸し出しを停止しているときに点灯される。補給ランプ４３は、メダル不足処理（Ｓ４３１〜Ｓ４３６）を実行しているときに点滅して点灯される。
【００６１】
表示ボタン４４は、押下操作することによって、７セグメントＬＥＤ４１に表示される内容の切り替えを主制御部４に対し指示するものである。この表示ボタン４４を押下すると、７セグメントＬＥＤ４１に表示される内容を次々に変更させることができる。
【００６２】
リセットスイッチ４５は、押下操作することによって、メダル貸機１の初期化を主制御部４に対し指示するものである。このリセットスイッチ４５を押下すると、主制御部４に蓄積された様々なデータをリセットすることができる。
【００６３】
尚、表示ボタン４４及びリセットスイッチ４５は、通常、中蓋１２によって覆われているので、これらのボタン４４，４５を操作するときは、中蓋１２を解錠して操作する。
また、主制御部４は、図６（ｂ）に示すように、筐体４０の裏面に、後述する２種類のディップスイッチ４６を備えている。ディップスイッチ４６は、操作可能な複数のスイッチからなり、それらスイッチの入り切りの組み合わせによって、メダル貸機１の機能を指定することができる。
【００６４】
本実施形態では、各ディップスイッチ４６を切り替えると、以下のようにメダル貸機１の機能を指定することができる。
本実施形態では、ディップスイッチ４６は、２種類ある。
【００６５】
ここで、表１は、ディップスイッチ４６の一つであるＤＩＰＳＷ４６ａを構成する各スイッチを切り替えたときの機能を表にしたものである。
【００６６】
【表１】
2007151949.tif 000003
【００６７】
本実施形態のメダル貸機１の主制御部４では、表１に示すように、４種類の抵抗値を設定することができる。
すなわち、主制御部４は、ＤＩＰＳＷ４６ａの１番のみで１．８ｋΩ、２番のみで３．３ｋΩ、３番のみで１０ｋΩ、１〜４番をすべてＯＮすることで１ｋΩの抵抗値を設定することができる。このように、断線検知抵抗は、上述したようにディップスイッチ４６ａの切換操作によって、抵抗値を段階的に切換えて、遊技場管理装置に繋がるメダル貸機１における断線検知の精度を調整することができる。これによりメダル貸機１の設置環境や遊技場管理装置１１０と間における伝送系統の状況若しくは遠近に応じて断線検出レベルを適正に調整できる。このＤＩＳＰ４６ａは、図５中の売上信号出力部に相等する。
【００６８】
次に、表２及び表３は、ディップスイッチ４６の一つであるＤＩＰＳＷ４６ｂを構成する各スイッチを切り替えたときの機能を表にしたものである。
このＤＩＰＳＷ４６ｂは７つのスイッチからなっている。
【００６９】
このうち１〜５番と６〜７番とは機能が異なっているので、別々に説明する。
ＤＩＰＳＷ４６ｂの１〜５番のスイッチを切り替えると、メダル貸機１の機能を下記の表２に示すように変更することができる。
【００７０】
【表２】
2007151949.tif 000004
【００７１】
ＤＩＰＳＷ４６ｂの１番は、後述する監視処理（Ｓ５００）で、紙幣引抜異常の判定方法を決めるスイッチで、ＯＮにすると、中央制御装置５０がＪＡＭ信号とＶＥＮＤ信号を同時に受信したときに（Ｓ５２３）、紙幣の引抜き異常と判定するよう設定することができる。一方、このスイッチをＯＦＦにすると、中央制御装置５０がＪＡＭ信号とＢＵＳＹ信号を同時に受信したときに（Ｓ５２４）、紙幣の引抜き異常と判定するよう設定することができる。
【００７２】
ＤＩＰＳＷ４６ｂの２番（４６ｂ−２）は、紙幣取扱部２内に投入された紙幣が真券であるか否かを示す信号の種類を決めるスイッチである。ＤＩＰＳＷ４６ｂの２番をＯＦＦにすると、紙幣が真券である場合、短い１０個のパルスが売上信号として外部に出力される。一方、ＤＩＰＳＷ４６ｂの２番をＯＮにすると、紙幣が真券である場合、長い１個のパルスが売上信号として外部に出力される。
【００７３】
ＤＩＰＳＷ４６ｂの３番は、メダル払出部６から払い出されるメダルの大きさ、すなわち、後述するカウントセンサ６０ｅで検出されるメダルの大きさを設定するスイッチである。ＤＩＰＳＷ４６ｂの３番をＯＦＦすると、直径２５ｍｍのメダルを検出するよう設定される。ＤＩＰＳＷ４６ｂの３番をＯＮすると、直径３０ｍｍのメダルを検出するよう設定される。
【００７４】
すなわち、メダル径が２５ｍｍの場合は、カウントパルスは、平均２４ｍｓのパルス巾のＨＩ信号（メダル検出）が、平均６２ｍｓ間隔（メダル非検出ＬＯ）でメダル払出部６から入力されるので、このような信号を受信したときにメダルを計数できるようＤＩＰＳＷ４６ｂの３番がＯＦＦ設定される。一方、メダル径が３０ｍｍの場合は、カウントパルスは、平均１６ｍｓのパルス幅のＨＩ信号が、平均１０６ｍｓ間隔で入力されるので、このような信号を受信したときにメダルを計数できるようＤＩＰＳＷ４６ｂの３番がＯＮ設定される。
【００７５】
ＤＩＰＳＷ４６ｂの４番は、紙幣取扱部２内に投入された紙幣の回収についての設定を切り替えるためのスイッチである。このＤＩＰＳＷ４６ｂの４番をＯＦＦすると、手作業で回収するよう設定される。一方、ＤＩＰＳＷ４６ｂの４番をＯＮすると、紙幣搬送装置１２０で自動的に紙幣を回収するよう設定される。
【００７６】
ＤＩＰＳＷ４６ｂの５番は、紙幣取扱部２で２０００円札の投入を許可するか否かを設定するためのスイッチである。このＤＩＰＳＷ４６ｂの５番をＯＮすると、２０００円札の投入を許可し、ＯＦＦすると、２０００円札の投入を受け付けない設定とすることができる。
【００７７】
次に、６〜７番のＤＩＰＳＷ５について説明する。
ＤＩＰＳＷ４６ｂの６〜７番のスイッチを切り替えると、メダル貸機１の機能を下記の表３に示すように変更することができる。
【００７８】
【表３】
2007151949.tif 000005
【００７９】
これらＤＩＰＳＷ６〜７は、１０００円当たりのメダルの払出枚数を切り替えるものである。メダル単価や消費税率の変更対応してメダルの払出枚数を換える必要があるからである。
【００８０】
本実施形態では、６番と７番共にＯＮ設定した場合は４６枚、６番をＯＦＦ７番をＯＮ設定した場合は４７枚、６番をＯＮ７番をＯＦＦ設定した場合は４８枚、６番７番共にＯＦＦ設定した場合は５０枚のメダルを払い出せるよう設定される。
【００８１】
｛内部構成｝
次に、主制御部４の内部構成について説明する。
この主制御部４は、図５に示すように、前述した７セグメントＬＥＤ４１と、中止ランプ４２と、補給ランプ４３と、表示ボタン４４と、リセットスイッチ４５の他に、ディップスイッチ４６、コネクタ４７、及び中央制御装置５０を備えている。そして、７セグメントＬＥＤ４１、中止ランプ４２、補給ランプ４３、表示ボタン４４、リセットスイッチ４５、ディップスイッチ４６、貯玉会員切換部５４、メダル補給要求出力回路５６及び、中央制御装置５０は、バス４９を介してコネクタ４７に接続されている。尚、この主制御部４は、不正改造ができない構造となっているが、その構造についての詳細な説明は省略する。
【００８２】
中央制御装置５０は、ＣＰＵ５０ａ、ＲＯＭ５０ｂ、ＲＡＭ５０ｃ等を備えるコンピュータ装置からなり、後述する各種制御を実行する。
この中央制御装置５０は、後述する各種プログラムを専用に記憶するプログラムＲＯＭ５０ａを備えており、このプログラムＲＯＭ５０ａは、主制御部４に対し着脱可能に構成されている。そのため、この中央制御装置５０は、このプログラムＲＯＭ５０ａを取り替えるだけで、変更したプログラムによる制御を行うことができる。
【００８３】
また、中央制御装置５０は、紙幣の取扱に関するデータ（紙幣の取込み枚数や、格納した枚数、搬送した紙幣の枚数等に関するデータ）や、メダル払出部６で払い出したメダルの枚数などを記憶すると共に、電源が切れてもデータの保持が可能な記憶装置５０ｄを備えている。この記憶装置５０ｄは、不揮発性のメモリーなど、電源が切れてもデータの保持が可能なものであれば、どのようなものでもよい。
【００８４】
メダル貸機１を貯玉会員管理装置１４０に接続して、貯玉会員管理装置１４０で記憶され認証された貯玉データによって、紙幣を投入すること無くメダルの貸出を受けることができる構成とする為に、メダル貸機１には、貯玉会員管理装置１４０との間で貯玉データの授受を可能とする貯玉会員切換部５４が設けられている。
【００８５】
貯玉会員切換部５４の切換操作によって、貯玉会員管理装置１４０からのメダル貸出要求信号がメダル貸機１で受信されるとメダル貸出要求信号に対応した枚数のメダルがメダル払出部６より払出される。
【００８６】
この場合、紙幣がメダル貸機１に投入されたことに基づいてメダルが貸出されるものではないので、メダル貸機１より売上演算手段ともなる遊技場管理装置１１０には売上信号は出力されない。
【００８７】
この主制御部４は、紙幣搬送装置１２０が接続可能にされる図示しない出力回路を備えるとともに、メダル補給装置１２０が接続される場合に対応してメダル補給信号を出力するメダル補給要求出力回路５６を有する。メダル補給要求出力回路５６のスイッチ４６ｂ−２の切換操作によって、ノーマルクローズ接点とノーマルオープン接点とが変換され、補給要求時はＨＩ若しくは補給要求時ＬＯの二形態のメダル補給要求信号を当該メダル貸機に接続されるメダル補給装置の別に対応させ当該メダル貸機１に設定することができる。
[メダル払出部６]
｛外部構成｝
ここで、図７はメダル払出部６の斜視図で、（ａ）は、筐体１０内への挿入方向側からメダル払出部６を見たときの左方側上方から斜めに見下ろした図で、（ｂ）は、右方側上方側から斜めに見下ろした図である。図７（ｃ）は、後述するメダル詰まり処理（Ｓ４５１〜４６４）を実行するときに、メダル送出モータを動作させるタイミングチャートである。
【００８８】
メダル払出部６は、外部から補給されたメダルを一旦貯留し、その後に払い出す装置である。
このメダル払出部６は、図７に示すように、主に、土台部６０、連結部６２、メダルタンク６４を備えている。このメダル払出部６では、短首状に形成された連結部６２が、土台部６０を土台としてメダルタンク６４を土台部６０の上方に支持している。また連結部６２は、メダルタンク６４で貯留されたメダルを一枚毎に分離するとともに繰出すホッパーが格納されている。また、土台部６０の前方側（メダル貸機１の筐体１０に収納されたときに、開口部を向く側）には、図８（ａ）に示すように、メダル放出口６０ａが形成されるとともに、払出テストボタン６０ｂが設けられている。また、土台部６０の後方側には、図３（ｂ）に示すように、コネクタ６０ｃが設けられている。このコネクタ６０ｃは、筐体１０側のコネクタβと連結することができる。このコネクタ６０ｃは、コネクタβと連結すると、コネクタβと電気的に接続される。
【００８９】
なお、払出テストボタン６０ｂをメダル払出部６に設けず主制御部４の操作部に設けるものとすれば、メダル貸機１全体としての機能確認には都合よい構造のものとなる。図８参照。
｛内部構成｝
次に、このメダル払出部６の内部構成について説明する。
【００９０】
図５に示すように、払出テストボタン６０ｂの他に、ノイズキャンセラ６０ｄ、カウントセンサ６０ｅを備えている。連結部６２は、ホッパー駆動モータ６２ａを備え、メダルタンク６４は、メダル有無センサ６４ａを備えている。そして、払出テストボタン６０ｂ、カウントセンサ６０ｅ、ホッパー駆動モータ６２ａ、及び、メダル有無センサ６４ａは、バス６９に接続され、コネクタ６０ｃに接続されている。
【００９１】
払出テストボタン６０ｂは、押下されると、メダル払出部６が正常に動作するか否かを検査することを指令する信号を出力する。この信号は、コネクタ６０ｃから主制御部４に送信される。
【００９２】
カウントセンサ６０ｅは、フォトセンサからなり、メダルタンク６４からメダル放出口６０ａにメダルが送りだされるルート上に設置され、そのルートを通過するメダルを検出すると、検出したことを示す信号を出力する。この信号は、コネクタ６０ｃから主制御部４に送信され、主制御部４において、このメダル払出部６によって払い出されたメダルの計数に用いられる。
【００９３】
ホッパー駆動モータ６２ａは、ホッパーを用いて、メダルタンク６４に貯留されたメダルをメダル放出口６０ａに送り出す装置である。ホッパー駆動モータ６２ａは、主制御部４から、コネクタ６０ｃ、ノイズキャンセラ６０ｄを介してメダルの排出を開始することを指令する信号を受信すると、メダルを送り出す動作を実行し、メダルの排出を停止することを指令する信号を受信すると、メダルを送り出す動作を停止する。
【００９４】
メダル有無センサ６４ａは、メダルタンク２内に設置され、シグナル電極板とグランド電極板とを備えている。このメダル有無センサ６４ａは、これらの間の接触抵抗値により、メダルタンク６４内にメダルが無い、即ちメダルが貯留されていないことを検出すると、メダルをメダルタンク６４に供給するよう指示する信号を出力する。この信号は、ノイズキャンセラ６０ｄを通過し、コネクタ６０ｃから主制御部４に送信され、主制御部４において、後述するメダル補給装置に対し、メダル貸機１にメダルを供給するよう指示する処理で用いられる。
[通信信号]
次に、メダル貸機１で通信される信号について説明する。以下の説明では、主な信号・情報（遊技媒体貸出制御情報に相等）のみを挙げているが、これらに限るものではない。
【００９５】
ここで図８は、メダル貸機１内で通信される各種信号について模式的に示したブロック図である。また表１は、紙幣取扱部２が通信する信号の一覧表である。
紙幣取扱部２が通信する信号としては、表４に示すように、「ＪＡＭ」「ＶＥＮＤ１０００」「ＶＥＮＤ２０００」「ＩＮＨ１０００」「ＦＵＬＬ」「ＥＮＤ」「ＢＵＳＹ」「ＩＮＨ２０００」「ＯＫＲＴＮ」等がある。尚、以下では、紙幣取扱部２の制御装置３５が実行する処理についても簡単に触れている。
【００９６】
【表４】
2007151949.tif 000006
【００９７】
ＪＡＭ信号は、位置決センサ３０ｂ、投入検出センサ３０ｃ等の紙幣の有無を検出可能なフォトセンサが予め定められた時間以上継続して紙幣が検出部２０ａに位置していること、すなわち紙幣が紙詰まりしたことを検出したら主制御部４に出力される信号である。この信号は、端子１を利用して、紙幣取扱部２から主制御部４に出力される。制御装置３５は、紙幣詰まりが発生したと判定すると、ＪＡＭ信号を主制御部４に送信するとともに、搬送ベルトモータ３１を停止する。
【００９８】
ＶＥＮＤ１０００信号は、紙幣判別センサ３０ａによって検出された磁気抵抗の変化パターンが真券の１０００円札であると制御装置３５が判定したときに、紙幣取扱部２から主制御部４に出力される信号である。この信号は、端子２を利用して、紙幣取扱部２から主制御部４に出力される。
【００９９】
ＶＥＮＤ２０００端子で通信されるＶＥＮＤ２０００信号は、紙幣判別センサ３０ａによって検出された磁気抵抗の変化パターンが真券の２０００円札であると制御装置３５が判定したときに、紙幣取扱部２から主制御部４に出力される信号である。この信号は、端子３を利用して、紙幣取扱部２から主制御部４に出力される。
【０１００】
制御装置３５は、位置決センサ３０ｂが紙幣の投入を検出すると搬送ベルトモータ３１を稼動して紙幣を検出部２０ａ内に引きこませる。すると、その引きこみの際、紙幣判別センサ３０ａで紙幣の磁気インクのパターンが読み取られ、そのパターンが真券であれば、制御装置３５はこのＶＥＮＤ１０００あるいは２０００の信号が主制御部４に出力される。
【０１０１】
ＩＮＨ１０００端子で通信されるＩＮＨ１０００信号は、メダル貸機１の制御過程上や不正などにより障害が発生した場合に、１０００円札の受付禁止時にはオープンされ、障害の無い受付許可時にはＧＮＤ側に接続されて１０００円札紙幣の受付禁止情報を紙幣取扱部に出力される受付禁止信号である。この信号は、端子５を利用して、主制御部４から紙幣取扱部２に出力される。
【０１０２】
ＩＮＨ２０００端子で通信されるＩＮＨ２０００信号は、メダル貸機１の制御過程上や不正などにより障害が発生した場合に、２０００円札の受付禁止時にはオープンされ、障害の無い受付許可時にはＧＮＤ側に接続されて２０００円札紙幣の受付禁止情報を紙幣取扱部に出力する受付禁止信号である。この信号は、端子８を利用して、主制御部４から紙幣取扱部２に出力される。
【０１０３】
紙幣取扱部２は、これらＩＮＨ１０００、２０００の信号を受信すると、紙幣判別センサ３０ａで投入された紙幣が真券であると判定しても、搬送ベルトモータ３１を反転させて、投入された紙幣を投入口２５から排出する。
【０１０４】
ＦＵＬＬ端子で通信されるＦＵＬＬ信号は、紙幣満杯センサ３０ｄが収納部２０ｂに収納された紙幣が満杯であることを検出したときに、紙幣取扱部２から主制御部４に出力される信号である。端子６を利用して通信される。
【０１０５】
ＥＮＤ端子で通信されるＥＮＤ信号は、紙幣収納センサ３０ｅが紙幣搬送装置１２０を主制御部を有すメダル貸機に接続しない場合に、紙幣取扱部から主制御部に出力される信号である。端子７を利用して通信される。
【０１０６】
ＢＵＳＹ端子で通信されるＢＵＳＹ信号は、紙幣搬送装置１２０を主制御部４と紙幣取扱部２を有すメダル貸機１に接続している場合に紙幣搬送動作がされていることを紙幣取扱部２より主制御部４に出力する信号である。ＥＮＤ信号と同じく、端子７を利用して通信される。ＢＵＳＹ信号は、紙幣が紙幣取扱部２に投入され、紙幣搬送センサ３０ｆで紙幣が検出されたら直ちに出力される。
【０１０７】
ＯＫＲＴＮ信号は、紙幣取扱部２に投入されたお札が、１０００円札２０００円札のいずれかの真券のお札であったときに、主制御部４から紙幣取扱部２に出力される信号である。端子９を利用して通信される。
【０１０８】
端子４と１０は、主制御部４から紙幣取扱部２に電源を供給するための端子として、利用されている。
次に、メダル払出部６は、主制御部４に対し、図８に示すように、カウントセンサ６０ｅ、メダル有無センサ６４ａから信号が送信される。また、払出テストボタン６０ｂの操作信号も送信される。また、ホッパー駆動モータ６２ａの電源は、主制御部４からメダル払出部６に供給される。
【０１０９】
次に、貯玉会員管理装置１４０が店内に設置されている場合は、この貯玉会員管理装置１４０から主制御部４には、貯玉会員情報が入力され、主制御部４から貯玉会員管理装置１４０へは、貯玉会員情報が出力される。
【０１１０】
次に、遊技場管理装置１１０と主制御部４との間では、主制御部４から前述した売上信号と売上予備信号が出力される。
次に、メダル補給装置１３０と主制御部４との間では、主制御部４から後述するメダル補給要求信号が出力される。
【０１１１】
次に、紙幣搬送装置１２０と主制御部４との間では、主制御部４から、紙幣の搬送に関する信号（紙幣搬送信号）の入出力が行われる。
[エラー表示]
次に、７セグメントＬＥＤ４１に表示するエラーコードについて説明する。
【０１１２】
ここで、図９は、エラーコードの一覧表である。
主制御部４は、Ｅｎで表される１０の記号、すなわち「Ｅ１」「Ｅ２」「Ｅ３」「Ｅ４」「Ｅ５」「Ｅ６」「Ｅ７」「Ｅ８」「Ｅ９」「Ｅ０」を、エラーが発生したときに、エラーコードとして表示する。
【０１１３】
Ｅ１は、メダル払出部６内のメダルが不足していることを示す。
Ｅ２は、メダル払出部６がコネクタβに接続されていないことを示す。
Ｅ３は、カウントセンサ６０ｅが故障、あるいは、正常に機能しないことを示す。
【０１１４】
Ｅ４は、メダル払出部６でメダルが詰まったことを示す。
Ｅ５は、紙幣の判別が行えなかったことを示す。
Ｅ６は、紙幣取扱部２内に収納された紙幣が満杯になったことを示す。
【０１１５】
Ｅ７は、メダル払出部６が必要以上のメダルを払い出した過放出を示す。
Ｅ８は、紙幣取扱部２に対し、紙幣の破れや搬送位置ずれ等、紙幣を正常に収納できなかった収納異常を示す。
【０１１６】
Ｅ９は、紙幣搬送装置１２０が紙幣取扱部２から紙幣を抜き出すことに失敗した紙幣引抜異常を示す。
Ｅ０は、不正行為が発生したことを示す。
【０１１７】
ところで、Ｅ１、Ｅ２、Ｅ６の表示は、図１１に示すように、表示ボタン４４とリセットスイッチ４５とを同時に押下するクリア操作をすると、これらの表示がされないようにすることができる。
【０１１８】
Ｅ１、Ｅ３、Ｅ４、Ｅ５、Ｅ６、Ｅ８、Ｅ０の表示は、メダル払出部６の払出テストボタン６０ｂを押下すると、メダルを２枚試験的に排出する払出テストを行うことができるが、この払出テストを行うと、これらの表示がなされないようにすることができる。
【０１１９】
Ｅ３、Ｅ４、Ｅ６、Ｅ７、Ｅ８の表示は、電源をＯＦＦすると、これらの表示を停止することができる。
Ｅ３、Ｅ４、Ｅ６、Ｅ７、Ｅ８、Ｅ０の表示は、リセットスイッチ４５を押下すると、これらの表示を停止することができる。
【０１２０】
Ｅ１、Ｅ２、Ｅ９の表示は、以後に示す各種処理によって自動的に復帰した場合は、これらの表示が停止される。
Ｅ５は、紙幣取扱部に設けられた紙幣判別センサにおける異常時で、待機中にＥＮＤ信号を１００ｍｓ以上検出した場合に、リセットスイッチを操作すると復帰する。
[店舗内施設]
次に、上述したメダル貸機１が設置されるパチンコ店の店内設備について説明する。
【０１２１】
ここで、図１０は、店内設備の模式図で、（Ａ）は、紙幣搬送装置１２０もメダル補給装置１３０も取り付けていない島の模式図、（Ｂ）は、紙幣搬送装置１２０が取り付けられている島の模式図、（Ｃ）は、メダル補給装置１３０が取り付けられている島の模式図、（Ｄ）は、紙幣搬送装置１２０及びメダル補給装置１３０のいずれも取り付けられている島の模式図である。図１１は、店内設備のブロック図である。
｛概略構成｝
本実施形態では、店内設備としては、図１０に示すように、４本の島１００を備えている。
【０１２２】
図５を用いて説明したように、本実施形態のメダル貸機１は、紙幣搬送装置１２０や、メダル搬送装置１３０等を備えていない場合でも利用することができる。そのため図１０でも、これらを備えていない場合についても示しているが（（Ａ）〜（Ｃ））、以下の説明では、説明簡単のため、（Ｄ）紙幣搬送装置１２０及びメダル補給装置１３０のいずれも取り付けられている島に主について説明する。
【０１２３】
本実施形態の島１００は、長手方向に沿った両側の面に、複数のスロット機１０１が、島１００の長手方向に沿って並設されている。そして、各スロット機１０１に向かって左側に、各スロット機１０１で使用するメダルを貸し出すメダル貸機１が設置されている。そのため、各島１００では、各島の長手方向の面に向かった左側から順にメダル貸機１、スロット機１０１、メダル貸機１、スロット機１０１の順に、メダル貸機１及びスロット機１０１が並設される。
[メダル補給装置１３０]
本願発明を構成する遊技媒体貸出装置の一例であるメダル貸出装置、即ちメダル貸機１は、メダル補給装置１３０より自動補給する構成とすることの他、蓋を解錠操作して回動開放し、メダルタンク６４にメダルをジョッキ状の補給箱を使用して補給することができる構成となっていて、メダル貸機１を設置する遊技場のシステムに適合するメダル補給形態を構成することができるように成っている。
【０１２４】
またこの島１００は、各メダル貸機１にメダルを供給するメダル補給装置１３０を備えている。このメダル補給装置１３０は、メダル補給制御装置１３１と、メダル補給路１３２と、メダル補給分配路１３３、分配杵１３４とで構成されている。
【０１２５】
メダル補給制御装置１３１は、島１００の長手方向の一端に設けられている。そして、メダル補給路１３２は、島１００の幅方向中央に、島１００の長手方向に沿って設置され、メダル補給制御装置１３１から排出されたメダルを島１００の長手方向に沿って送りだす。そしてこのメダル補給路１３２には、このメダル補給路１３２から分岐した複数のメダル補給分配路１３３が取り付けられており、各メダル補給分配路１３３は、このメダル補給路１３２によって送られてきたメダルを各メダル貸機１に供給する。さらに分配杵１３４（図１２参照）は、メダル貸機１毎にメダル補給路１３２に設けられ、メダル補給路１３２によって送られてきたメダルの搬送方向をメダル補給分配路１３３に向くように切り換える。
【０１２６】
このメダル補給装置１３０は、メダル貸機１からメダル補給要求信号を受けると、メダル補給路１３２にメダルを供給し、また、そのメダルの供給指令を発信したメダル貸機１に対応する分配杵１３４を切り換える。すると、メダル補給装置１３０から送られてきたメダルがメダル貸機１に補給される。
【０１２７】
尚、メダル補給装置１３０は、遊技場で使用された後回収されたメダルを石鹸水を含浸したスポンジローラーで圧接などして浄化する図示しない洗浄ユニットを備えている。メダル貸機１に補給されるメダルは、この洗浄ユニットで洗浄された後に、メダル補給装置１３０によって搬送されたものである。
[紙幣搬送装置１２０]
本願発明を構成する遊技媒体貸出装置の一例であるメダル貸出装置、即ちメダル貸機１は、紙幣搬送装置１２０によりメダル貸機１に投入された紙幣等の有価媒体を島に設けられた金庫１２１ａに自動回収する構成とすることの他、紙幣取扱部内に設けた収納部２０ｂに紙幣を格納する一方、蓋を解錠操作して回動開放し、収納部２０ｂに格納された紙幣を回収する構成とすることができ、メダル貸機１を設置する遊技場のシステムに適合する紙幣の回収形態を構成することができるように成っている。
【０１２８】
島１００は紙幣搬送装置１２０を備えている。
この紙幣搬送装置１２０は、紙幣搬送制御装置１２１、紙幣搬送路１２２を備えている。
【０１２９】
紙幣搬送制御装置１２１は、島１００の長手方向の一端であって、メダル補給装置１３０が取り付けられている側に設置されている。そして、紙幣搬送路１２２は、この紙幣搬送制御装置１２１からは、島１００の長手方向に沿って延設されている。各メダル貸機１に投入された紙幣は、この紙幣搬送装置１２０で紙幣搬送制御装置１２１に搬送され、紙幣搬送制御装置１２１内に設けられた金庫１２１ａに貯留される。
[遊技場管理装置１１０]
この店舗内には、上述したメダル補給装置１３０、紙幣搬送装置１２０の他に、これらの装置１２０、１３０及び各メダル貸機１及びスロット機１０１と通信可能に構成された遊技場管理装置１１０を備えている。この遊技場管理装置１１０は、各島１００でのメダルの供給情報、売上情報などを集計管理したり、メダル貸機１で不正や異常があった場合に、これらの情報を店員が所有する無線装置に通信するなど、多くの情報を処理・管理する。
【０１３０】
本実施形態のメダル貸機１は、図１１に示すように、インターフェイス部９０を備えており、メダル貸機１はこのインターフェイス部９０を介して、遊技場管理装置１１０、紙幣搬送装置１２０、メダル補給装置１３０と通信し、また貯玉会員管理装置１４０、外部に備えられた記憶媒体投入装置１５０を備える場合も同様である。
【０１３１】
尚、図１０では、表示部、操作部との記載があるが、これらは、７セグメントＬＥＤ４１、中止ランプ４２、補給ランプ４３や、表示ボタン４４、リセットスイッチ４５等に相等し、主制御部は、中央制御装置５０に相等する。
【０１３２】
また、メダル貯留部とメダル払出部は、それぞれ、メダルタンク６４と、ホッパー駆動モータ６２ａ等に相等する。
さらに、メダル貸機１が、記録媒体投入装置１５０を備えていてもよい。尚、ここで言う記録媒体とは、例えば，ＩＣカード、ＩＣコイン、プリペイドカード等である。
｛接続部分の構成｝
次に、店舗内設備とメダル貸機１との接続部分の構成について具体的に説明する。
【０１３３】
ここで、図１２は、メダル貸機１と店内設備（１００〜１３０）との接続部分の斜視図である。
図１２に示すように、メダル補給装置１３０を構成するメダル補給路１３２には、複数の分配杵１３４が設置されている。そしてこの分配杵１３４は、具体的には、各メダル貸機１の裏面側に設置されている。また、各メダル貸機１の裏面側には、メダル補給路１３２の傍らから、各メダル貸機１のメダル払出部６にメダルを供給するためのメダル補給分配路１３３が設置されている。メダル補給装置１３０は、メダル貸機１からメダルの補給命令があると、分配杵１３４を図１４のように稼動して、メダル補給路１３２を流れてくるメダルを、メダル補給路１３２の傍らで開口しているメダル補給分配路１３３の開口に導く。すると、メダルが、メダル補給分配路１３３を介してメダル払出部６に供給される。その後、メダル払出部６に対するメダルの補給が終了したら、分配杵１３４は、メダル補給路１３２を流れてくるメダルを下流側に流す位置に移動する。
【０１３４】
また、図１２に示すように、メダル貸機１の紙幣取扱部２の裏面側から紙幣搬送装置１２０の紙幣搬送路１２２に向かって紙幣搬送分岐路１２３が設けられている。そして、紙幣搬送分岐路１２３が紙幣搬送路１２２に接続される部分には、紙幣取扱部２から送られてきた紙幣を保留する紙幣保留部１２４が設けられている。投入口２５から紙幣取扱部２に投入された紙幣は、紙幣搬送分岐路１２３を介して紙幣保留部１２４に搬送してここで待機させ、この紙幣保留部１２４に保留された紙幣は紙幣搬送路１２２を紙幣搬送装置１２１によって搬送される。
[各種処理]
次に、メダル貸機１を構成する紙幣取扱部２の制御装置３５、及び、主制御部４の中央制御装置５０で実行される各種処理について以下説明する。尚、以下の説明では、特に処理の順番を示さない限り、ステップ番号の小さいものから大きいものを順に実行するものとして説明する。
[メイン制御]
まず、メイン制御について説明する。
【０１３５】
ここで図１３は、メイン制御のフローチャートである。
このメイン制御（Ｓ１）では、図１３に示すように、以下に示す４つの処理（Ｓ１００〜Ｓ４００）が実行される。
【０１３６】
Ｓ１００では、中央制御装置５０は、店舗内設備１１０〜１５０との通信を確立するための通信確立処理を実行し、Ｓ２００では、メダルを払出すホッパーを駆動するホッパー駆動モータ６２ａや、搬送ベルトモータ３１など電磁的な雑音をその起動時に多く発生する駆動手段の制御の乱れを、メダルの払出し若しくは紙幣の搬送動作を障害の無い安定した待機状態に初期化するとともに、場合によっては制御動作途上で停止した状態にある駆動手段と制御情報とを初期化し機構的なメダル貸出処理の準備を実行するメカイニシャル制御手段を構成している。その後、中央制御装置５０は、Ｓ３００では、紙幣取扱部２に投入される紙幣に対する投入紙幣処理を実行し、Ｓ４００では、メダルの払出に関するメダル払出処理を実行した後、再びＳ３００の処理を実行する。
【０１３７】
以下、各メイン制御の各ステップで行われる処理について詳細に説明する。
[Ｓ１００]
Ｓ１００の通信確立処理は、メダル貸機１と店舗内設備１１０〜１５０との通信を確立するための処理である。
【０１３８】
ここで図１４は、通信確立処理のフローチャートである。
この通信確立処理（Ｓ１００）は電源がＯＮされたときに実行され、図１４に示すように、メダル貸機１の中央制御装置５０は、まず、Ｓ１１０の処理を実行する。
【０１３９】
Ｓ１１０では、中央制御装置５０は、メダル補給装置１３０と通信が可能か否かを判定する。この判定で、通信が可能であると判定されるまでは待機し（Ｓ１１０：ＮＯ）、通信が可能であると判定されたら（Ｓ１１０：ＹＥＳ）、Ｓ１１１の処理を実行する。
【０１４０】
Ｓ１１１では、中央制御装置５０は、補給セットアップ処理を実行する。この処理は、メダル補給装置１３０との間に、メダルの補給を行うための通信が正確に行われるか否かを試験するための通信を行う
Ｓ１２０では、中央制御装置５０は、ディップスイッチ４６のＤＩＰＳＷ４６ｂのスイッチ４がＯＮかＯＦＦかを判定する。ＤＩＰＳＷ４６ｂのスイッチ４がＯＦＦであればＳ１３０の処理を実行し、ＤＩＰＳＷ４６ｂのスイッチ４がＯＮであれば、Ｓ１２１の処理を実行する。このＳ１２０では、紙幣の回収について、スイッチ４がＯＮ、すなわち紙幣搬送装置１２０により紙幣を自動的に回収するか、スイッチ４がＯＦＦ、すなわち紙幣取扱部２に収納された紙幣を手作業で回収するかによって、中央制御装置５０で行う処理の設定を変更している。
【０１４１】
Ｓ１２１では、中央制御装置５０は、紙幣搬送装置１２０と通信が可能か否かを判定する。この判定で、通信が可能であると判定されるまでは待機し（Ｓ１２１：ＮＯ）、通信が可能であると判定されたら（Ｓ１２１：ＹＥＳ）、Ｓ１２２の処理を実行する。
【０１４２】
Ｓ１２２では、中央制御装置５０は、紙幣回収セットアップ処理を実行する。この処理では、紙幣搬送装置１２０との間で、紙幣の回収を行うための通信が正確に行われるか否かを試験するための通信を行う。そしてこのＳ１２２の処理により、紙幣を回収するための試験通信が終了したら、Ｓ１３０の処理を実行する。
【０１４３】
Ｓ１３０では、中央制御装置５０は、遊技場管理装置１１０と通信が可能か否かを判定する。この判定で、通信が可能であると判定されるまでは待機し（Ｓ１３０：ＮＯ）、通信が可能であると判定されたら（Ｓ１３０：ＹＥＳ）、Ｓ１３１の処理を実行する。
【０１４４】
Ｓ１３１では、中央制御装置５０は、セットアップ処理を実行する。この処理は、遊技場管理装置１１０との間に、売上データ等の授受が正確に行われるか否かを試験する処理である。そして、Ｓ１３１の処理が終了したら、メイン処理を実行する。
[Ｓ２００]
Ｓ２００のメカイニシャル制御手段は、既述した初期化処理の他、メダル貸機１のメカ的な機構が正常に動作するかチェックする処理も併せて行い、原則としてメダル貸機１の電源が投入されたときに実行されるものであるが、何らかの異常が発生した場合や、定期的にイニシャル制御をする構成としてもよいことは勿論である。
【０１４５】
ここで図１５は、メカイニシャル処理のフローチャートの一変更例である。
このメカイニシャル処理（Ｓ２００）を実行すると、図１５に示すように、メダル貸機１の中央制御装置５０は、まず、Ｓ２０１の処理を実行する。
【０１４６】
Ｓ２０１では、中央制御装置５０は、７セグメントＬＥＤ４１に待機中であることを示す待機表示処理を実行する。具体的には、７セグメントＬＥＤ４１の各セグメントを一つずつ順次点灯する表示を実行する。
【０１４７】
Ｓ２０２では、中央制御装置５０は、搬送ベルトモータ３１、制御装置３５は、ホッパー駆動モータ６２ａなどを動作させて初期動作を実行する。
Ｓ２０３では、中央制御装置５０は、メダル貸機１や店内設備（１１０〜１３０）で、何らかのトラブルが生じていないか否かを判定する。この判定で、異常が発生していたら（Ｓ２０３：ＮＯ）、発生している異常を示す表示を７セグメントＬＥＤ４１に表示し（Ｓ２０４）、メイン制御を終了する。一方、異常が発生していなかったら（Ｓ２０３：ＹＥＳ）、メイン処理（Ｓ１）に戻る。
[Ｓ３００]
Ｓ３００の投入紙幣処理は、メダル貸機１に組込まれた紙幣取込装置の機構が正常に動作するかチェックするとともに紙幣を処理し表示と信号出力をする制御過程と手段とをフローチャート図で示した。
【０１４８】
ここで図１６は、投入紙幣処理のフローチャートである。図１７（ａ）は、紙幣搬送装置１２０が接続されている場合にＳ３４０〜Ｓ４００までの処理を実行したときのタイミングチャート、図１７（ｂ）は、紙幣搬送装置１２０が接続されていない場合のタイミングチャートである。
【０１４９】
この投入紙幣処理（Ｓ３００）を実行すると、図１６に示すように、主制御部４の中央制御装置５０は、まず、Ｓ３１０の処理を実行する。
Ｓ３１０では、中央制御装置５０は、紙幣取扱部２への紙幣の投入が禁止されているか否かを判定する。紙幣の投入が禁止される場合とは、一つは、（ａ）メダル貸機１の電源電圧が所定値より低下している場合である。他には（ｂ）払出テスト中であったり、（ｃ）メカイニシャル処理（Ｓ２００）が実行されていたり、（ｄ）メダルが払い出されている途中であったり、（ｅ）リセットやクリアの処理がなされている途中であったり、（ｆ）紙幣取扱部２内に収納された紙幣が満杯であったり、（ｇ）メダル不足であったり、（ｈ）メダルの払出し完了後５００ｍｓを経過していないときであったり、その他（ｉ）異常があったときなどである。これらの場合、一部の動作が他の動作と重なったり、正常に動作しなかったりするなどして、メダル貸機１が正常に作動せず、投入された紙幣に対してメダルを正常に払い出しできない恐れがあるので、このＳ３１０では、上記のような（ａ）〜（ｈ）のような場合でないか、判定している。この判定（Ｓ３１０）で入金が禁止されているときは（Ｓ３１０：ＹＥＳ）、この入金の禁止が解除されるまで待機し、入金が禁止されていないときは（Ｓ３１０：ＮＯ）、紙幣が投入されるのを待っている待機状態である旨を７セグメントＬＥＤ４１に表示する処理（Ｓ３１１）が実行された後、Ｓ３２０を実行する。
【０１５０】
Ｓ３２０では、紙幣取扱部２の制御装置３５により、紙幣が紙幣取扱部２に投入されたか否かが判定される。具体的には、制御装置３５は、紙幣が遊技者により投入口２５から投入され、投入検出センサ３０ｃが紙幣を検出したか否かが判定される。この判定では、紙片が投入されたことを検出していないと判定している間は（Ｓ３２０：ＮＯ）待機し、紙幣が投入されたことを検出したと判定すると（Ｓ３２０：ＹＥＳ）、Ｓ３２１の処理を実行する。
【０１５１】
Ｓ３２１では、制御装置３５は、搬送ベルトモータ３１を動作させ、搬送ベルト２９と搬送ローラ２９ａとを回転させて、紙幣を検出部２０ａ内に誘引する。そして、位置決センサ３０ｂが位置するところまで紙幣を収納したら、紙幣判別センサ３０ａによる紙幣の真偽の判定を開始し、さらに、送出口２８側に紙幣を送り、紙幣が位置決センサ３０ｂが位置するところを通過したら搬送ベルトモータ３１を一旦停止する処理を実行する。また。Ｓ３２０では、制御装置３５は、Ｓ３１１による処理を実行することによって７セグメントＬＥＤ４１に表示されていた待機表示を停止する処理を実行して、Ｓ３３０を実行する。
【０１５２】
Ｓ３３０では、中央制御装置５０は、信号が正常か否かを判定する。具体的には、ＪＡＭ信号、ＦＵＬＬ信号、または、ＥＮＤ信号あるいはＢＵＳＹ信号が、１００ｍｓ以上であるか否か、ＶＥＮＤ信号の場合は、８０ｍｓ以上４５０ｍｓ以下であるか否かを判定する。この判定で、正常であると判定された場合は、Ｓ３４０の処理を実行し、正常でないと判定された場合は、メイン処理（Ｓ１）を終了する。
【０１５３】
ところで、Ｓ３２０において紙幣が投入されたと判定されＳ３２１の処理が実行されると、図１７（ａ）に示すように、紙幣搬送装置１２０が紙幣取扱部２に接続されている場合には、紙幣搬送センサ３０ｆによって紙幣が検出されて制御装置３５からＢＵＳＹ信号が出力され、また、図１７（ａ）（ｂ）に示すように、紙幣搬送装置１２０の接続の有無に関わらず、投入された紙幣が真券であると、制御装置３５から真券信号であるＶＥＮＤ信号が出力される。
【０１５４】
Ｓ３４０では、中央制御装置５０は、ＶＥＮＤ信号を受信したか否かを判定し、ＶＥＮＤ信号が入力されないときは待機し（Ｓ３４０：ＮＯ）、ＶＥＮＤ信号が入力されたときは（Ｓ３４０：ＹＥＳ）、ＶＥＮＤ信号が示す金額や、ＤＩＰＳＷ４６ｂの６、７番スイッチの設定に応じたコインの枚数を７セグメントＬＥＤ４１に表示する処理を実行し（Ｓ３４１）、そして、紙幣取扱部２内に投入された紙幣の枚数を累計する処理を実行する（Ｓ３４２）。
【０１５５】
Ｓ３５０では、中央制御装置５０は、紙幣搬送装置１２０が接続されている場合は、図１７（ａ）に示すように、ＶＥＮＤ信号が入力されてから８０ｍｓが経過したか否か、また、ＢＵＳＹ信号の受信を開始してから１秒以上経過しているか否かを判定し、紙幣搬送装置１２０が接続されていない場合は、図１７（ｂ）に示すように、紙幣収納センサ３０ｅにより紙幣が収納部２０ｂに収納され、制御装置３５からＥＮＤ信号が出力されるので、ＥＮＤ信号を受信したか否かを判定する。そして、この判定で、中央制御装置５０は、肯定判定されるまで待機し（Ｓ３５０：ＮＯ）、肯定判定されたら（Ｓ３５０：ＹＥＳ）、紙幣搬送装置１２０が接続されている場合は、Ｓ３６０の処理を実行し、接続されていない場合は、本処理（Ｓ３００）を終了して、メイン処理に戻る。
【０１５６】
Ｓ３６０では、中央制御装置５０は、真券確認信号（ＯＫＲＴＮ信号）を紙幣取扱部２に送信する。すると、このＯＫＲＴＮ信号を受信した紙幣取扱部２の制御装置３５は、ＶＥＮＤ信号の送信を停止する。
【０１５７】
Ｓ３６１では、主制御部４は、ＶＥＮＤ信号の入力が停止されたか否かを判定し、ＶＥＮＤ信号が入力されるときは待機し（Ｓ３６１：ＮＯ）、ＶＥＮＤ信号の入力が停止されたら（Ｓ３６１：ＹＥＳ）、本処理（Ｓ３００）を終了して、メイン処理に戻る。
【０１５８】
尚、中央制御装置５０は、紙幣搬送装置１２０が接続されていない場合に、Ｓ３４０でＶＥＮＤ信号が入力されたら、その２秒後に、メイン処理とは別に、ＥＮＤ信号の入力の如何に関わらず、１００ｍｓのパルス巾で１００ｍｓ間隔の売上信号を遊技場管理装置１１０に出力する処理を実行する。本実施形態では、ＤＩＰＳＷ４６ｂのスイッチ２をＯＦＦすることにより、１０００円あたり１０パルス出力し、２千円投入時は２０パルス出力する。売上信号波、リレー接点のオンオフによりパルス出力するものである。
【０１５９】
収金確認信号ＥＮＤが検出されない場合は、紙幣搬送装置１２０がメダル貸機１に接続されていると判定して、ＢＵＳＹ信号を確認した場合にメダル貸機１より紙幣搬送装置１２０にメダルを受け渡す制御を実行してもよい。
【０１６０】
真券信号ＶＥＮＤが検出されたら、メダル払出部６のホッパー駆動モータ６２ａを起動してメダルの払出し制御に移動する。
収金確認信号ＥＮＤが検出された場合は、紙幣搬送装置１２０がメダル貸機１に接続されていないものと判定して、メダル貸機１内において紙幣の判別と収容処理を実行してもよい。
【０１６１】
真券信号ＶＥＮＤ検出から２秒経過したことが判定されたら、メダル払出部６のホッパー駆動モータ６２ａを起動してメダルの払出し制御を行っても良い。
紙幣のメダル貸機１における紙幣の格納処理若しくは紙幣搬送装置１２０への紙幣の繰出し処理に併行してメダルの払出し制御が実行される。
【０１６２】
ホッパー駆動モータ６２ａによるメダルの払出し動作をメダル払出部６に設けられたカウントセンサ６４ａが計数し、投入された紙幣に応じたメダル払出し個数分よりメダル減算され設定個数分のメダル払出しが完了したら処理を終了する。
【０１６３】
併せて、投入された紙幣が複数枚である場合には投入された紙幣枚数の加算処理が行われ、演算された紙幣金額に対応したメダル個数の払出しが実行される。
同時に、投入された紙幣枚数に対応する売上データが当該メダル貸機１より遊技場管理装置１１０に出力される。
【０１６４】
一方、メダルの払出し途中においてメダル詰まりが判定され、若しくは紙幣満杯がなどの異常が判定された場合には、該当するエラーコードがメダル貸機１の表示部（７セグメントＬＥＤ４１）において表示される。異常が検出されてメダルの払出しが停止した場合には、未払いのメダル数が点滅表示される。
[Ｓ４００]
Ｓ４００は、メダルを払い出すための払出処理である。
（Ｓ４００）
ここで、図１８は、払出処理のフローチャートである。
【０１６５】
この払出処理（Ｓ４００）ではまず、メダル有無センサ６４ａの接触抵抗値が８０ｋΩ以下であるか否かを判定する（Ｓ４１１）。この判定で、中央制御装置５０が接触抵抗値が８０ｋΩ以下でないと判定したら（Ｓ４１１：ＮＯ）、後述するメダル不足処理（Ｓ４３１〜Ｓ４３６）を実行する。一方、この判定で、接触抵抗値が８０ｋΩより大きいと判定したら（Ｓ４１１：ＹＥＳ）、Ｓ４１１の判定を開始してから３０ｍｓ以上経過したか否かを判定して（Ｓ４１２）、未経過の場合は待機し（Ｓ４１２：ＮＯ）、経過した場合は、メダルがあると判定して、ホッパー駆動モータ６２ａを動作させる（Ｓ４１３）。すると、メダルがメダルタンク６４からメダル払出部６に排出されるので、次に、この排出されるメダルをカウントセンサ６０ｅで検出する（Ｓ４１４）。カウントセンサ６０ｅはメダルを検出すると、出力信号がＨＩレベルになる。そのためこのＳ４１４では、そのＨＩレベルの出力信号が、約１０ｍｓのＨＩレベル信号の信号を検出したか、あるいは、３秒以上継続するＬＯレベル、あるいはＨＩレベルの信号を検出したかを判定する。そして、この判定で、約１０ｍｓのＨＩレベル信号を検出したと判定したら（Ｓ４１４：ＨＩレベル）、７セグメントＬＥＤ４１に表示されているメダルの払い出し枚数の表示を「１」減らした数字に変更する処理（Ｓ４１５）を実行し、メダルを払いだす残数が「０」か否かを判定して（Ｓ４１６）、「０」でなければ（Ｓ４１６：ＮＯ）、再びＳ４１４の処理を実行する。一方、Ｓ４１６の判定で「０」であると判定されたら（Ｓ４１６：ＹＥＳ）、ホッパー駆動モータ６２ａを停止し（Ｓ４１７）、Ｓ４１６の処理から５秒が経過したか否かを判定し（Ｓ４１８）、５秒が停止したら「０」の表示を停止して（Ｓ４１９）、メイン処理（Ｓ１）に戻る。一方、３秒以上ＬＯレベル、あるいはＨＩレベルの信号を検出したと判定したら（Ｓ４１４：ＬＯレベル）、メダル詰まりであると判定して、メダル詰まり処理（Ｓ４５１〜４６４）を実行する。尚、Ｓ４１６の判定は、払い出したメダルの数を計数して、払いだすべきメダルのうち最後のメダルをカウントするパルス波が立ち下がったか否かを判定してもよい。
（メダル不足処理）
払出処理（Ｓ４００）の中で行われるメダル不足処理（Ｓ４３１〜Ｓ４３６）について説明する。
【０１６６】
メダル不足処理（Ｓ４３１〜Ｓ４３６）は、Ｓ４１１でメダルタンク６４の中にメダルが収納されていないと判定されたときに（Ｓ４１１：ＮＯ）実行される処理である。
このメダル不足処理（Ｓ４３１〜Ｓ４３６）を開始すると、まず、２秒間待機する（Ｓ４３１）。次に、メダル不足である旨を示す「Ｅ１」の表示を７セグメントＬＥＤ４１を使って行うとともに、補給ランプ４３の点灯を行い（Ｓ４３２）、メダル補給装置１３０内では、メダルの補給を準備する処理が実行される（Ｓ４３３）。具体的には、メダル補給路１３２を流れてきたメダルが、メダル補給分配路１３３に向かうように分配杵１３４などを配置する動作が実行される。そして、中央制御装置５０は、メダル補給装置１３０にメダルを補給するよう指令する信号を送信する（Ｓ４３４）。するとメダル補給装置１３０からメダルが補給されるので、メダル補給装置１３０からメダルの補給が完了したことを知らせる補給完了信号を受信したか否かを判定し（Ｓ４３５）、その補給完了信号を受信するまで待機する（Ｓ４３５：ＹＥＳ）。一方、この判定（Ｓ４３５）で、補給完了信号を受信したら、メダル不足であることを表示（Ｅ１の表示と補給ランプ４３）する処理を停止し（Ｓ４３６）、再びＳ４１１の処理を実行して、メダル不足処理（Ｓ４３１〜Ｓ４３６）を終了する。
（メダル詰まり処理）
払出メイン処理（Ｓ４１０）の中で行われるメダル詰まり処理（Ｓ４５１〜４６４）について説明する。
【０１６７】
メダル詰まり処理（Ｓ４５１〜４６４）は、Ｓ４１４で、ＨＩレベルの信号が３秒以上続いた場合に実行される処理である。
このメダル詰まり処理（Ｓ４５１〜４６４）を開始すると、中央制御装置５０は、図７（ｃ）に示すように、まず、正転しているホッパー駆動モータ６２ａを１秒間停止し（Ｓ４５１）、１秒間反転させた後（Ｓ４５２）、再び停止させ（Ｓ４５３）、さらに３秒間正転させる（Ｓ４５４）。そして中央制御装置５０は、これら一連の動作（Ｓ４５１〜Ｓ４５４）を２回行ったか否かを判定し（Ｓ４５５）、２回行っていなければ（Ｓ４５５：ＮＯ）、再び（Ｓ４５１〜Ｓ４５４）の動作を実行して、２回行っていたら（Ｓ４５５：ＹＥＳ）、メダルの詰まりが解消したか否かを判定する（Ｓ４６０）。すなわち、このＳ４６０では、中央制御装置５０は、Ｓ４６０の判定で、２０ｍｓ以上ＬＯレベルになったかを判定する。この判定でメダル詰まりが解消したら（Ｓ４６０：ＹＥＳ）、再びＳ４１１の処理を実行する。一方、メダル詰まりが解消しなかったら（Ｓ４６０：ＮＯ）、メダル詰まりが発生したことを示す「Ｅ４」の表示を、７セグメントＬＥＤ４１に対して行う（Ｓ４６１）。そして、ホッパー駆動モータ６２ａを停止する（Ｓ４６２）。その後、メダル詰まりを解消する操作が作業員の手で行われ（Ｓ４６３）、メダル詰まりが解消したことを示す操作が、メダル貸機１に対してなされ、カウントセンサ６０ｅから出力される信号が２０ｍｓ以上ＬＯで維持されたら（Ｓ４６４）、再びＳ４１１の処理を実行する。
【０１６８】
尚、メダル詰まりを解消する操作としては、払出テストボタン６０ｂを押下して行う払出テストがある。この払出テストとは、試験的にメダルを払い出すテストのことで、この払出テストを行うため作業員によって払出テストボタン６０ｂが押下されると、７セグメントＬＥＤ４１に黄色で２の表示がなされ、ホッパー駆動モータ６２ａが動作して、２枚のメダルが払い出される。このときカウントセンサ６０ｅでメダルが検出されると７セグメントＬＥＤ４１に表示されたメダルの数を１ずつ減らしていく処理をここでも行われるため、この払出テストによりメダルが払い出されることで、メダル払出部６はメダルが詰まっておらず、しかもカウントセンサ６０ｅを用いて払い出されるメダルをきちんと数えることを確認できる。
[監視処理（Ｓ５００）]
次に、メイン制御（Ｓ１００）と平行して実行される紙幣取扱部２の監視処理（Ｓ５００）について説明する。
【０１６９】
ここで、図１９は、紙幣取扱部２の監視処理（Ｓ５００）のフローチャートである。
この紙幣取扱部２の監視処理（Ｓ５００）は、メダル貸機１の電源が投入されると開始される。
【０１７０】
この監視処理（Ｓ５００）を開始すると、まず、図１９に示すように、紙幣を紙幣取扱部２に収納するよう設定されているか否かを判定する処理を実行する（Ｓ５０１）。この処理は、ＤＩＰＳＷ４６ａのスイッチ４番がＯＮかＯＦＦを検出することにより判定することができる。この判定で、紙幣取扱部２に収納されるタイプと判定された場合（Ｓ５０１：ＹＥＳ）、紙幣をメダル貸機１の紙幣取扱部２で収容する構成の場合には、真券信号を判定してから３秒以内にＥＮＤ信号が検出できない場合は、紙幣収納異状と判定され（Ｓ５０３）、７セグメントＬＥＤ４１に「Ｅ８」を表示する。一方、紙幣取扱部２に収納されるタイプではないと判定された場合（Ｓ５０１：ＮＯ）、ＶＥＮＤ信号が入力されてから、メダルの払い出しが終了するまでにＪＡＭ信号を入力したか否かを判定する（Ｓ５０４）。そして、この判定で、ＪＡＭ信号が検出された場合は（Ｓ５０４：ＹＥＳ）、紙幣収納異常であると判定し、一方、ＪＡＭ信号が検出されなかった場合は、Ｓ５１０の処理を実行する。
【０１７１】
Ｓ５１０では、中央制御装置５０は、ＶＥＮＤ信号を入力してから、メダル払出終了までを除く待機中にＪＡＭ信号を１００ｍｓ以上連続して入力したか否かを判定する。この判定（Ｓ５１０）で、ＪＡＭ信号を１００ｍｓ以上連続して入力したと判定したら（Ｓ５１０：ＹＥＳ）、紙幣判別異常と判定し、一方、ＪＡＭ信号を入力していないと判定したら（Ｓ５１０：ＮＯ）、Ｓ５１２の判定を実行する。
【０１７２】
Ｓ５１２では、２０００円を返却する２０００円返却モードか否かを判定する。この判定はディップスイッチＤＩＰＳＷ４６ｂの５番がＯＦＦされているか否かにより判定されると、２０００円紙幣は当該メダル貸機においては使用できず１０００円のみが当該メダル貸機において使用できる構成として設定できる。このデップスイッチの切り換え設定によって複数種類の紙幣を使用可能状態と不可能状態とに当該メダル貸機を設定することができる構成とすることができる。例えば、５０００円紙幣の投入を可能状態に若しくは不可能状態に、或いは、１万円紙幣を投入可能状態と投入不可能状態とに、表２で表したデップスイッチの５番ピンをＯＮ、ＯＦＦ切換えることにより設定することができる。この場合には、紙幣取扱部の紙幣判別手段となる紙幣判別センサが５０００円若しくは１００００円についての真券識別機能を搭載していることより可能とすることができる。この判定により（Ｓ５１２）、２０００円返却モードであると判定された場合は（Ｓ５１２：ＹＥＳ）、Ｓ５１４の判定を実行し、２０００円返却モードでないと判定された場合は（Ｓ５１２：ＮＯ）、Ｓ５１３の判定を実行する。
【０１７３】
Ｓ５１３では、ＶＥＮＤ信号を４５１ｍｓ以上入力したか否かを判定する。この判定Ｓ５１３において、ＶＥＮＤ信号を４５１ｍｓ以上検出で異常の判定を行い４５０ｍｓより８０ｍｓの範囲内でＶＥＤ信号を正常なものとして判定する。これにより真券信号を所定の検出時間内において検出された場合にのみ真券信号を真正なものとして制御上で取扱うこととなり、ＶＥＮＤ信号がノイズなど他の信号の干渉を受けて紙幣判別手段を有する紙幣取扱部より主制御部に入力されることを防止することができる。
【０１７４】
この判定（Ｓ５１３）で、ＶＥＮＤ信号を４５１ｍｓ以上検出していないと判定したら（Ｓ５１３：ＮＯ）、紙幣判別異常であると判定して７セグメントＬＥＤ４１に「Ｅ５」を表示し、ＶＥＮＤ信号を４５１ｍｓ以上検出したと判定したら（Ｓ５１３：ＹＥＳ）、Ｓ５１４の判定を実行する。
【０１７５】
Ｓ５１４の判定では、ＶＥＮＤ信号を検出してから、メダル払出終了までを除く待機中にＪＡＭ信号を１００ｍｓ以上連続して検出したか否かを判定する。この判定（Ｓ５１４）で、ＪＡＭ信号を１００ｍｓ以上連続して入力したと判定したら（Ｓ５１４：ＹＥＳ）、紙幣判別異常と判定し、一方、ＪＡＭ信号を入力していないと判定したら（Ｓ５１４：ＮＯ）、Ｓ５２０の判定を実行する。
【０１７６】
Ｓ５２０の判定では、ＶＥＮＤ信号を入力してからメダル払出終了までの期間かを判定する。この判定で、この期間ではないと判定したら（Ｓ５２０：ＮＯ）、Ｓ５３０の判定を実行し、一方、この期間であると判定したら（Ｓ５２０：ＹＥＳ）、ＤＩＰＳＷ４６ｂの１番スイッチがＯＮか否かを判定する（Ｓ５２１）。
【０１７７】
Ｓ５２１の判定で、ＤＩＰＳＷ４６ｂの１番がＯＮではないと判定されたら（Ｓ５２１：ＮＯ）、次にこのＤＩＰＳＷ４６ｂの一番がＯＦＦか否かを判定し（Ｓ５２２）、一方、ＤＩＰＳＷ４６ｂの１番がＯＮであると判定されたら（Ｓ５２１：ＹＥＳ）、Ｓ５２３の判定を実行する。
【０１７８】
Ｓ５２２の判定では、ＤＩＰＳＷ４６ｂの一番がＯＦＦであると判定したら（Ｓ５２２：ＹＥＳ）、Ｓ５２４の判定を実行し、一方、ＤＩＰＳＷ４６ｂの一番がＯＦＦでないと判定したら（Ｓ５２２：ＮＯ）、Ｓ５３０の判定を実行する。
【０１７９】
Ｓ５２３の判定では、紙幣詰まり信号（ＪＡＭ信号）と真券信号（ＶＥＮＤ信号）を同時に検出したか否かを判定し、同時に検出したと判定したら（Ｓ５２３：ＹＥＳ）、紙幣の引抜き操作が行われた、すなわち紙幣の引抜き異常と判定して７セグメントＬＥＤ４１に「Ｅ９」を表示し、一方、同時に検出していないと判定したら、Ｓ５２４の処理を実行する。
【０１８０】
Ｓ５２４の判定では、紙幣詰まり信号（ＪＡＭ信号）と紙幣搬送装置１２０が動作中であることを示す信号（ＢＵＳＹ信号）とを同時に検出したか否かを示す判定し、同時に検出したと判定したら（Ｓ５２４：ＹＥＳ）、紙幣の引抜き異常であると判定し、一方、同時に検出していないと判定したら、Ｓ５３０の処理を実行する。
【０１８１】
Ｓ５３０の判定では、待機中に紙幣取扱部２内に収納された紙幣が満杯になったか否かを判定する。この判定で、中央制御装置５０が紙幣取扱部２からＦＵＬＬ信号を受信して、収納部２０ｂが満杯になったと判定されたら（Ｓ５３０：ＹＥＳ）、紙幣が満杯になったと判定して、７セグメントＬＥＤ４１に「Ｅ６」を表示し、満杯になっていないと判定されたら（Ｓ５３０：ＮＯ）、本監視処理（Ｓ５００）を繰り返し実行する。
[メダル払出部６の監視処理]
次に、メダル払出部６を監視する監視処理（Ｓ６００）について説明する。
【０１８２】
ここで、図２０は、メダル払出部６の監視処理（Ｓ６００）のフローチャートである。
このメダル払出部６の監視処理（Ｓ６００）は、メダル貸機１の電源が投入されたとき、及び、以下に示す各種の異常が発生してリセットされたときに開始される。
【０１８３】
この監視処理（Ｓ６００）を開始すると、まず、図２０に示すように、Ｓ６１０の判定を実行する。
Ｓ６１０では、中央制御装置５０は、電源投入時にメダル有無センサ６４ａが２秒間連続してメダルがないことを検出したか否か、すなわちメダルが不足しているか否かを判定する。この判定は、具体的には、メダル有無センサ６４ａが接触抵抗値が８０ｋΩ以下となっている時間が２秒間続いているか否かにより判定する。この判定により、２秒間続いていると判定された場合（Ｓ６１０：ＹＥＳ）、メダルが不足していると判定し、一方、２秒間の間にメダルがあると判定された場合は（Ｓ６１０：ＮＯ）、Ｓ６１２の判定を実行する。
【０１８４】
Ｓ６１２では、中央制御装置５０は、メダル有無センサ６４ａが２秒間連続してメダルなしを検知してから、３５０枚のメダルを払い出したか否かを判定する。この判定で、３５０枚を払い出していないと判定したら（Ｓ６１２：ＮＯ）、Ｓ６１３の判定を実行し、払い出していると判定したら（Ｓ６１２：ＹＥＳ）、Ｓ６１４の判定を実行する。
【０１８５】
Ｓ６１３では、中央制御装置５０は、Ｓ６１０と同様の方法で、メダル有無センサ６４ａが２秒間連続してメダルがないことを検出したか否か、すなわちメダルが不足しているか否かを判定する。この判定により、２秒間続いていると判定された場合（Ｓ６１３：ＹＥＳ）、メダルが不足していると判定し、一方、２秒間の間にメダルがあると判定された場合は（Ｓ６１３：ＹＥＳ）、Ｓ６２０の判定を実行する。
【０１８６】
Ｓ６１４では、中央制御装置５０は、Ｓ６１０と同様の方法で、メダル有無センサ６４ａが２秒間連続してメダルがないことを検出したか否か、すなわちメダルが不足しているか否かを判定する。この判定により、２秒間続いていると判定された場合（Ｓ６１４：ＹＥＳ）、メダルが不足していると判定して７セグメントＬＥＤ４１に「Ｅ１」を表示し、一方、２秒間の間にメダルがあると判定された場合は（Ｓ６１４：ＮＯ）、再びＳ６１２の判定を実行する。これによって、メダル貸機１に設けられたメダル払出部６におけるメダルが欠乏したことを２秒間の経過時間を持って判定しているので、メダル貸機１で貯留されているメダルがブリッジなどの現象によりメダル間に間隙を生じた為にメダル無し若しくはメダル不足信号が出力されてしまったり、ノイズや他からの干渉により不正にメダル不足信号が形成されて、不要なメダル補給制御が実行されることを防止することができる。
【０１８７】
Ｓ６２０では、中央制御装置５０は、メダル払い出し中を除く待機中に１００ｍｓ以上、カウントセンサ６０ｅが正常に動作していることを示す確認信号の入力がないか否かを判定し、確認信号の入力がない場合は（Ｓ６２０：ＹＥＳ）、接続異常と判定して７セグメントＬＥＤ４１に「Ｅ２」を表示し、一方、確認信号の入力がある場合は（Ｓ６２０：ＮＯ）、Ｓ６３０の処理を実行する。これによって、メダル貸機１を構成する電気部品が接続されておらず断線が発生していることを、所定の経過時間を確認時間としてもって判定するものとしているので、ノイズや他からの干渉などによる不正な断線情報が形成され、不必要な組付け作業が指示されたり表示される不具合を解消することができる。
【０１８８】
Ｓ６３０では、中央制御装置５０は、メダル払出しが行われた後、５０ｍｓ以上経過し５００ｍｓが経過する間に、カウントセンサ６０ｅがメダルを検出したか否かを判定する。この判定の結果、その間にメダルを検出したら（Ｓ６３０：ＹＥＳ）、メダルの過放出であると判定し、７セグメントＬＥＤ４１に「Ｅ７」を表示する。一方、その間にメダルの検出されなかったら（Ｓ６３０：ＮＯ）、Ｓ６４０の処理を実行する。これによって、予め設定された所定の経過時間（５０ｍｓ〜５００ｍｓ）、即ち通常設定されたメダルの払出時間内において、メダルの払出が完了しないことにより、ノイズや他からの干渉若しくは故障の発生などによりメダルが不必要に払出されたことが判定でき、不正の判定やメダル払出部の故障の有無を確実に判定制御させることができるものとなる。
【０１８９】
Ｓ６４０では、中央制御装置５０は、ホッパー駆動モータ６２ａの動作中に、カウントセンサ６０ｅが３秒間以上ＬＯ又はＨＩレベルのまま変化がないか否かを判定する。この判定で、３秒間変化がないと判定したら（Ｓ６４０：ＹＥＳ）、Ｓ４５２〜Ｓ４５５と同じメダル詰まり解消処理を２回実行して、この処理が終了したか否かを判定し（Ｓ６４１）、終了していなければ（Ｓ６４１：ＮＯ）、再びＳ６４１の処理を実行して待機し、メダル詰まり解消処理が２回行われたと判定されたら（Ｓ６４１：ＹＥＳ）、メダル払出部６でメダル詰まりが発生したと判定し、７セグメントＬＥＤ４１に「Ｅ４」を表示する。一方、Ｓ６４０の判定で、３秒以内に変化があったと判定したら（Ｓ６４０：ＮＯ）、メダル払出部６におけるメダル詰まりが解消したとして、Ｓ６５０の処理を実行する。これによって、メダル貸機１におけるメダル詰りの判定とメダル詰りに対応してメダル詰り解消処理とメダル詰り解消の判定との一連のメダル払出障害解除制御が、ホッパー駆動モータ６２ａの動作信号とカウントセンサ６０ｅによる検出の経過時間とによって、ノイズや他からの信号干渉などにより不正に障害されること無く錯誤なく効率的に実行することができる。
【０１９０】
Ｓ６５０では、中央制御装置５０は、ホッパー駆動モータ６２ａの動作中に、カウントセンサ６０ｅがＨＩレベルの信号を２００ｍｓ以上連続して出力したか否かを判定する。この判定で２００ｍｓ以上連続して出力したと判定したら（Ｓ６５０：ＹＥＳ）、カウントセンサ６０ｅに異常があると判定し、７セグメントＬＥＤ４１に「Ｅ３」を表示する。一方、２００ｍｓ以上連続して出力していないと判定したら（Ｓ６５０：ＮＯ）、Ｓ６６０の処理を実行する。
【０１９１】
Ｓ６６０では、中央制御装置５０は、メダルの払出中か否かを判定し、メダルの払出中でなければ（Ｓ６６０：ＮＯ）、本処理（Ｓ６００）を終了し、メダルの払出中であれば（Ｓ６６０：ＹＥＳ）、Ｓ６７０の処理を実行する。
【０１９２】
Ｓ６７０では、中央制御装置５０は、２秒以上カウントセンサ６０ｅから検出信号の入力の空白が５回以上発生したか否かを判定し、発生したと判定したら（Ｓ６７０：ＹＥＳ）、不正が発生したと判定し、発生していないと判定したら（Ｓ６７０：ＮＯ）、Ｓ６７１の処理を実行する。Ｓ６７１では、中央制御装置５０は、待機中にカウントセンサ６０ｅが５枚のメダルを計数したか否かを判定し、５枚のメダルの計数したら不正が発生したと判定し、７セグメントＬＥＤ４１に「Ｅ０」を表示して、計数しなかったら（Ｓ６７１：ＮＯ）、再び本処理（Ｓ６００）を実行し、計数したら（Ｓ６７１：ＹＥＳ）、この場合も不正が発生したと判定する。これによって、検出信号の組み合わせの一態様であるセンサによる検出信号の検出回数が所定値以上で、センサによる検出信号の検出時間が所定値以上であることに基づいて不正を判定する構成としているので、ノイズや他からの信号干渉などにより正常なメダルの払出制御を不正なものとして判定する錯誤あるメダルの貸出制御が実行されることを防止することができる。
[異常表示処理]
次に、異常が発生したことを表示ボタン４４を使って７セグメントＬＥＤ４１に表示させる異常表示処理について説明する。
【０１９３】
ここで図２１は、異常表示処理のフローチャートである。
この異常表示処理は、電源が投入されると開始され、まずＳ７１０の処理を実行する。
Ｓ７１０では、中央制御装置５０は、表示ボタン４４が１回押下されたか否かを判定する。この判定で、押下されていないと判定したら（Ｓ７１０：ＮＯ）待機し、押下されたと判定したら（Ｓ７１０：ＹＥＳ）、Ｓ７２０の処理を実行する。
【０１９４】
Ｓ７２０では、中央制御装置５０は、なんらかの異常が発生していないか否かを判定し、異常があればＳ７３０の処理を実行し、異常がなければ、所定時間「待機」を示す点滅表示を７セグメントＬＥＤ４１に対して行う（Ｓ７２１）。
【０１９５】
Ｓ７３０では、中央制御装置５０は、メダルの未払いだしがあるか否かを判定する。この判定で、メダルの未払い出しがあれば（Ｓ７３０：ＹＥＳ）、未払出枚数を７セグメントＬＥＤ４１に点滅表示する処理を実行して（Ｓ７３１）、Ｓ７４０の処理を実行する。一方、未払い出しがなければ（Ｓ７３０：ＮＯ）、Ｓ７４０の処理を実行する。
【０１９６】
Ｓ７４０では、中央制御装置５０は、Ｓ７１０で表示ボタン４４への操作が行われた後、５秒以内にもう一度表示ボタン４４の操作が行われたか否かを判定する。そして、この判定で、操作が行われていないと判定された場合は、紙幣取扱部２に投入された紙幣の枚数を７セグメントＬＥＤ４１に表示して（Ｓ７４１）、Ｓ７６０の処理を実行する。
一方、操作が行われていないと判定された場合は、Ｓ７５０の処理を実行する。
【０１９７】
Ｓ７５０では、中央制御装置５０は、メダル未払いだし以外の他の異常を示すフラグ（Ｅ１〜Ｅ０に相当する分）が立っているか否かを判定する。そして、この判定で異常があると判定されたら（Ｓ７５０：ＮＯ）、紙幣取扱部２に投入された紙幣の枚数を７セグメントＬＥＤ４１に表示して（Ｓ７４１）、Ｓ７７０の処理を実行する。一方、異常がないと判定されたら（Ｓ７５０：ＹＥＳ）、Ｅｎで示される異常表示のうちいずれかを７セグメントＬＥＤ４１に表示し（Ｓ７５１）、再びＳ７４０の判定を実行する。そして、Ｓ７４０からＳ７５１の判定を繰り返す際、Ｓ７５１では、ＥＮで示される異常表示のうち、ｎで示される数字が小さいものから順に７セグメントＬＥＤ４１に表示し、ｎ＝０まで表示したときに、再びＳ７４０で表示ボタン４４の押下がなされたときは、最も小さいｎの異常表示を行う。
【０１９８】
Ｓ７６０では、中央制御装置５０は、紙幣取扱部２内に収納された紙幣の枚数を７セグメントＬＥＤ４１に表示する処理を実行し、このＳ７６０での表示処理の後、前回表示ボタン４４が操作されてから５秒以内にもう一度表示ボタン４４の操作が行われたか否かを判定する（Ｓ７６１）。そして、この判定で、操作が行われていないと判定された場合は（Ｓ７６１：ＮＯ）、７セグメントＬＥＤ４１の表示を停止して（Ｓ７６２）、再びＳ７１０の処理を実行する。一方、この判定で、操作が行われていると判定された場合は（Ｓ７６１：ＹＥＳ）、再びＳ７３０の処理を実行する。これによって、表示ボタンが操作された後、一定時間内に再度表示ボタンが操作されるか否かにより他の異常と、メダル払出数（実施例においては払出しされてない残りのメダル枚数）を切換表示することが可能にされている。
[その他の制御]
（１）メダルの払出し途中において停電が発生した場合は、メダル払出部６の駆動は停止される。このような場合に備え、本実施形態では、未払いだしのメダルの枚数は、例えば記憶装置５０ｄなどに常時記憶する処理を実行するとよい。そしてこの場合、メダル貸機１が停電から復旧して電源の再投入があった場合には、中央制御装置５０に記憶された未払い分のメダル払出しデータが読み出し、メダル払出部６が起動し、メダルが払い出すよう構成すればよい。
【０１９９】
尚、停電時のメダルの払い出しは、一回に限り実行するよう設定するのが好ましい。また、停電が終了した後、２秒間に限り実行することが好ましい。これによっても異常が解除されない場合には、メダル払出部６の駆動を停止することが好ましい。これによって、停電に際して行われるメダルの払出を極めて限られたメダル払出枚数内に留めることができ、停電に伴って行われるかも知れない不正な行為による損害を軽減するとともに、迅速なメダル貸機の復旧を可能とする。
（２）中央制御装置５０は、メダル払出部６において、払出テストボタン６０ｂが操作されると、メダルを２枚払出すメダル払出し動作を実行する。ただし、この払出テストボタン６０ｂの操作は、５回までのみ許容されている。この払出テストボタン６０ｂを用いた、５回目以降のメダルの払い出しは、メダル貸機１の電源を再投入しないと行うことができないよう設定されている。これによって、迅速なメダル貸機の復旧と迅速な修理作業への誘導が行えることとなる。この払出テストボタン６０ｂを操作して行う払出しテストは、以下の場合は実行することができないよう、本実施形態のメダル貸機１は設定されている。以下の場合とは、メダル貸機１における電源電圧が低下した場合と、メダル貸機１がメカイニシャル動作中であるときと、真券信号であることが判定されメダル払出し完了まで（Ｓ３４０〜Ｓ４１７）と、クリア操作を含むリセット処理中である。このようなメダル貸機における制御が不安定な状況下でメダル払出テストを実行することによるメダル払出部を含むメダル貸機の故障の誘発を防止する。
【０２００】
以上本発明の一実施形態ついて説明したが、本発明はこの実施形態に何等限定されるものではなく、本発明の要旨を逸脱しない範囲において、種々なる態様で実施し得ることは勿論である。
【０２０１】
（１）上記実施形態では７セグメントＬＥＤ４１が取り付けられた表示基板と、中央制御装置５０その他の装置が取り付けら得た本体基板とは、平板を直角に組付けられた構造であってもよりが、フレキシブル基板を利用して表示基板と本体基板とを一枚の回路基板上に構成しても良い。
【０２０２】
（２）上記実施形態では７セグメントＬＥＤ４１を用いたが、カラー液晶表示パネルを用いてもよい。このカラー液晶表示パネルを用いた場合、メダル貸機１における異常を含む各種の制御状況を動画像表示（検出された異常を話し言葉によって報知する等）しても良い。この液晶式の画面を用いれば、詳細で明確な、しかも遊技者や店員に対する注意惹起機能が高まり、表示機能が向上したものとすることができる。また、７セグメントＬＥＤ４１及び表示ボタン４４、リセットスイッチ４５に替えて、タッチパネルを用いてもよい。
【０２０３】
（３）中央制御装置５０は、上記実施形態のメダル貸機１の上記各種制御によって利用されるデータを記憶する他に、磁気センサで検出された信号、その他の不正信号を、計時的に記憶する処理を行ってもよい。
【０２０４】
（４）メカイニシャル処理のＳ２０１において、待機中であることを表示するため、上記実施形態では、７セグメントＬＥＤ４１の各セグメントを一つずつ順次点灯する表示を実行したが、７セグメントＬＥＤ４１に替えて液晶表示パネルを用い、例えば、「紙幣を投入を準備して下さい」などという表示を行ってもよい。
【０２０５】
（５）本実施形態のメダル貸機１は、表示ボタン４４とリセットスイッチ４５とが同時に操作された場合には、入金データ（投入された紙幣の枚数や金額に関するデータなど）をクリアして０値とする処理を実行するよう構成してもよい。また、本実施形態のメダル貸機１は、リセットスイッチ４５の操作の後の２秒以内に表示ボタン４４を操作すると、払出しデータ（払出したメダル枚数）を表示するよう構成してもよい。このように複数の操作ボタンを組合わせて操作することに、上記のような表示を行えるよう構成すれば、単独の操作ボタンへの夫々の操作により上記のような表示を行うよう構成する場合に比べて、メダル貸機１の操作パネルの面積をコンパクトに構成でき、スイッチの部品点数を減らすことができ、また製造コストも軽減できる
尚、リセットスイッチ４５の操作は、メダル不足処理（Ｓ４３１〜Ｓ４３６）を実行しているとき、メダル払出部６の接続異常時、紙幣取扱部２に収納された紙幣が満杯である時において受け付けることができ、一方、カウントセンサ６０ｅの異状時、メダル詰まりが発生したとき、紙幣が判別できなかったとき、メダルが過放出されたとき、紙詰まりなどにより紙幣が収納されなかったとき、紙幣搬送装置１２０による紙幣の引抜きがうまくいかなかった時、不正発生時は、受け付けられないようにしてもよい。
【０２０６】
（６）メダル貸機１は、主制御部４で実行される各種の検出や判定で、制御障害や不正発生、メダル不足等が検出あるいは判定された場合、これら検出・判定に関するデータを異常データとして記録したり解析する異常処理や、異常データに関するログを蓄積する記憶処理を主制御部４で実行する構成としても良い。
【０２０７】
（７）メダル貸機１に紙幣搬送装置１２０が接続されている場合には、主制御部４を介して紙幣取扱部２やメダル払出部６からのメダル貸出に関する制御情報や制御信号であるメダル貸出制御情報や、メダル貸出制御信号等がメダル貸機１から紙幣搬送装置１２０に出力されるが、必要に応じて紙幣搬送装置１２０からのメダルの貸し出しに関する遊技媒体貸出制御情報を主制御部４に入力する構成としてもよい。
【０２０８】
（８）上記実施形態のメダル貸機１は、紙幣取扱部２を備えているが、これに変えて、あるいは、この装置２とともに設置され、ＩＣカードやＩＣコイン若しくはプリペイカード等を投入すると、それらのカードに記憶された金銭情報を真券情報の替わりに送信する記憶媒体投入装置を備えていてもよいことはもちろんである。この場合、金銭情報に基づいて、メダルの貸出が行われる。図１１参照。
【０２０９】
（９）上記実施形態のメダル貸機１は、紙幣取扱部２を備えているが、これに変えて、ＩＤ情報を記録したＩＣカードを投入したり、所定のＩＤコードを入力するなど、ＩＤ情報を入力可能な会員貸出装置を備えていてもよい。この場合、会員貸出装置からは、ＩＤコードが主制御部４に送られ、主制御部４からは、店内設備として設置された貯玉会員管理装置１４０に送信されるようメダル貸機１は構成される。貯玉会員管理装置１４０は、スロット機等の遊戯機における遊技を終了する際に、遊技の結果、賞として取得したメダル数を貯玉データとして蓄積記憶する装置である。図１１において記憶媒体投入装置１５０は会員用のＩＣカードを受付ける構成となる。
【０２１０】
このような装置を備える場合、ＩＣカード等が投入され、特定のボタンの操作されるなどして、会員貸出装置から貯玉会員管理装置１４０にメダル貸出要求信号が発信され、その信号に対する応答信号をメダル貸機１が受信すると、メダル貸出要求信号に対応した枚数のメダルがメダル払出部６より払い出される。このようにすれば、メダル貸機１を貯玉会員管理装置１４０に接続して、貯玉会員管理装置１４０で記憶された貯玉データによって、紙幣を投入すること無くメダルの貸出を受けることができる。
【０２１１】
この場合、紙幣がメダル貸機１に投入されたことに基づいてメダルが貸出されるものではないので、メダル貸機１より遊技場管理装置１１０には売上信号は出力されない。
（１０）このメダル貸機１では、異状が検出されても、表示ボタン４４が操作されない場合にあっては、エラーの種別を示さないエラー表示をしてもよい。例えば７セグメントＬＥＤ４１にはＥｎを表示してもよい。そして、複数種類の異状が検出されている場合には、Ｅｎの表示を点滅して表示してもよい。
【０２１２】
（１１）このメダル貸機１の中央制御装置５０は、待機中に１００ｍｓ以上カウントセンサ６０ｅの信号を主制御部４が確認できない場合、メダル払出部６の接続異状と判定する。この接続異常は、電源と信号線の復帰に呼応してメダル払出部６の接続異常表示を消灯する。
【０２１３】
（１２）メダル貸機１では、メダル詰まりが発生した場合、７セグメントＬＥＤ４１に「Ｅ４」を表示される（Ｓ４６１）が、メダル払出部６で、メダル詰りが検出された場合に、払出テストボタン６０ｂを操作してメダル払出部６を動作させてメダル詰りを解消したら（Ｓ４６３）、メダル詰まりの表示を消灯するよう構成してもよい。
（１３）メダル払出部６に詰まったメダルを処置した後、リセットスイッチ４５或いは払出テストボタン６０ｂを操作し若しくは電源の再投入を行うことによりメダル払出部６を３秒間起動した後、カウントセンサ６０ｅに基づくメダルの計数が判定できれば、復旧処理が成功したものとして、未払い分のメダルがあれば、残ったメダルの払出し制御を実行するようにしてもよい。カウントセンサに処置した後、リセットスイッチか払出テストボタンを操作し或いは電源の再投入を行うことによりメダル払出部６を２秒間起動しカウントセンサの信号入力が２０ｍｓ以上ＬＯで維持されれば、復旧処理が成功したものとして、未払い分のメダルがあれば残ったメダル払出しを実行してもよい。
【０２１４】
（１４）カウントセンサ６０ｅが故障、あるいは、正常に機能しないなど、カウントセンサ６０ｅの異常が検出され、その旨を示す「Ｅ３」の表示が７セグメントＬＥＤ４１でなされた場合、メダルの払出が行われていないのに払い出したと判定されたり、メダルの払い出しが行われたのに払い出していないと主制御部４において判定さえる場合がある。そのような場合、紙幣取扱部２に収納された紙幣に対し、払いだされるべきメダルの数と、実際に払いだされたメダルの数とに不一致が生じる。そのため、本実施形態では、このような場合、計数されたメダル枚数に関するデータをデリートできるよう構成してもよい。
【０２１５】
（１５）紙幣取扱部２内に収納された紙幣が満杯で、７セグメントＬＥＤ４１にＥ６と表示された場合、紙幣取扱部２から紙幣を取除いて、リセットスイッチ４５を押下するか、あるいは電源スイッチを切って、再投入すると、主制御部４に記憶されたデータのうち、紙幣取扱部２に収納された紙幣の枚数に関するデータを０値とする処理を行うよう、主制御部４を設定してもよい。
【０２１６】
このように設定することにより、満杯になった紙幣を取り除いても、正常な入金処理を再開させることができる。
（１６）カウントセンサ６０ｅに異常が発生した場合、メダル払出部６内でメダルが詰まった場合、メダル貸機１で不正が検出された場合には、７セグメントＬＥＤ４１には、Ｅ３、Ｅ４、Ｅ０が表示されるが、これらの表示は、リセットスイッチ４５あるいは払出テストボタン６０ｂを操作することによって、表示しないようにしてもよい。
【０２１７】
（１７）メダル払出部６の断線が判定されても直ちにはメダル払出部６接続の異常は判定されずメダル払出部６待機中に一定時間（１００ｍｓ）以上カウントセンサの信号入力を主制御部４が確認しないとメダル払出部６の接続異常は判定しない構成として、また、メダル払出部６の接続があっても、メダル払出部６待機中に一定時間（１００ｍｓ）以上継続してカウントセンサ６０ｅから信号が検出がされないと、メダル払出部６の接続が完了したとはしない構成としてもよい。このようにすることで、メダル貸機１は、他の信号データの干渉やノイズの影響などから防護してメダル払出部６の断線や接続に関する信号を通信することが可能となり、その信号によるメダル詰まりの検出若しくは判定を適格に実行することができる。
【０２１８】
（１８）メダル貸機１で発生する不正としては、紙幣の投入が無いにもかかわらずメダルの払出しが行われた場合や、メダル貸機１に投入された紙幣についての不正な抜取りがあった場合、メダル払出部６からメダルが抜き取られた場合等がある。ここに例示した不正は、各蓋１１〜１３や鍵穴αを開けないと行うことができない。しかし、不正行為が行われるときは、メダル貸機１を破壊するなど、何らかの方法でメダル貸機１を開けたり、あるいは、メダル貸機１の蓋１１〜１３を開けなくても、外部から何らかの操作をすることにより、紙幣の抜き取り等が行われる。そのため、メダル貸機１は、各蓋１１〜１３の開放や、鍵穴αの操作が検出されなかったときに、メダル若しくは紙幣についての抜き取りの信号が検出されたときは不正が発生したと判定して、７セグメントＬＥＤに「Ｅ０」を表示するよう設定してもよい。
【０２１９】
また、メダル貸機１は、紙幣が投入された旨の信号が無くメダルが払出された場合、投入紙幣に対して設定されたメダル払出し枚数を超えるメダルの払出しが行われた場合、あるいは、投入された紙幣が偽紙幣として判別された場合などに、不正が発生したと判定して、「Ｅ０」を７セグメントＬＥＤ４１において表示するよう設定してもよいことはもちろんである。
【０２２０】
不正の判定の表示に関しては、メダル貸機１のリセットスイッチ４４若しくは払出テストボタン６０ｂを押下するか、あるいは図示しない電源スイッチを操作して、電源を再投入することにより表示が行われないようにするとよい。
【０２２１】
（１９）メダル貸機１の紙幣取扱部２の検出部２０ａから収納部２０ｂに至る経路上に、紙幣引抜き操作が行われたことを判定するセンサを備えていても良い。このセンサを備えていれば、不正な紙幣の引抜きを検出することができる。
【０２２２】
（２０）メダル補給装置１３０が接続されていない場合は、店員が直接メダル払出部６にメダルを補給する。このときメダル有無センサ６４ａは、下蓋１３が鍵穴αにより施錠されると、中央制御装置５０がメダル有無センサ６４ａから出力されるメダルの充足を検出するよう構成してもよい。
【０２２３】
（２１）Ｓ７５１では、中央制御装置は、番号の小さいものからエラー表示を行っているが、予め定められた優先順位に従って、優先度の高いものから表示してもよいし、エラーが発生した順次と逆の順序で表示してもよい。
【０２２４】
（２２）投入口２５に紙幣を投入可能とする開閉蓋を設け、入金が禁止されているときは（Ｓ３１０：ＹＥＳ）、投入口２５を開閉蓋で閉じるよう制御してもよい。この場合、入金禁止が解かれ（Ｓ３１０：ＮＯ）た場合に、開閉蓋を開けることができるよう構成するとよい。
【０２２５】
（２３）メダルが払出されている最中に、異常が検出された場合には、異状の発生前に払い出されていないメダルの残枚数を、異常が解除されるまで７セグメントＬＥＤ４１に表示してもよい。この場合、７セグメントＬＥＤ４１以外の表示手段を用いて、メダルの残枚数を表示してもよい。
【０２２６】
異状が判定された場合に、蓄積した当日分のデータ（紙幣枚数データなど）をメダル貸機１においてストアする構成を備えていても良い。
メダル貸機１で記憶した紙幣枚数データと、遊技場管理装置１１０で記憶した売上データとを照合可能とする構成を備えていても良い。
【０２２７】
遊技場管理装置１１０は、遊技場の閉店終了時には、当日分の各メダル貸機１の売上データを累計して記憶し、一定時間経過後（閉店終了後３時間、閉店後３日間）においては、売上データをメダル貸機１より消去する構成を備えていてもよい。このようにすれば、複数日に亙って売上データを遊技場管理装置１１０でバックアップすることができるので、休日が介在しても、バックアップ後におけるリストアを適正なものとする。
【０２２８】
遊技場管理装置１１０は、遊技場の閉店終了時には当日分の各メダル貸し機の売上データを累計して記憶する一方所定時刻に（午前１時、午前０６時）において、当該売上データをメダル貸機１より消去する構成を備えていてもよい。
【０２２９】
また、メダル貸機１は、遊技場管理装置１１０に売上データを送信したら、異常時の（紙幣）受入枚数を０値に戻したり、メダル払出部６内に停留されたメダルを払出す払出しテストを行うよう構成してもよい。
（１）本実施形態のメダル貸機１を用いると、前述したように、他の信号データの干渉やノイズの影響から防護する防護手段を備えているので、メダル貸機１が備える装置間での正確な信号の伝達や、各装置で行われる各種の検出による正確な検出信号の生成を行うことが可能となる。従って、本実施形態のメダル貸機１を用いると、ノイズが発生しても正確な制御が行われるので、メダルの正確な払い出しを行うことができる。
【０２３０】
防護手段としては、具体的には、電源部８に備えられたノイズ除去装置８０や、ノイズキャンセラ６０ｄや、Ｓ３２０で真券と判定されてから真券確認信号（ＯＫＲＴＮ信号）を出力するまで８０ｍｓタイムラグを設けている処理、Ｓ５１０やＳ５４０で待機中にＪＡＭ信号、ＥＮＤ信号が検出されたら直ちに紙幣判別異常と判定するのではなく、ＪＡＭ信号、ＥＮＤ信号が検出されてから１００ｍｓ経過してから紙幣判別異常と判定する処理など、ノイズによる影響が薄らぐ分のタイムラグを設けて各種の判定を行う処理を実行する中央制御装置５０が該当する。
【０２３１】
尚、メダル貸機１としては、投入された紙幣を収納、あるいは外部に搬送する紙幣投入手段（搬送ベルト２９等）と、その投入された紙幣の真偽を検出する紙幣判定手段（紙幣判別センサ３０ａ等）とを備える紙幣取扱部２、メダルの払い出しを行うメダル払出部６、紙幣取扱部２に投入された紙幣の金額等の有価情報に応じて、メダル払出部６からその有価情報に対応する数のメダルを払い出させる処理（Ｓ３００〜Ｓ４００）を実行する主制御部４を備えているものが好ましい。
【０２３２】
有価媒体と、有価媒体の投入に基づいて貸出される遊技媒体とについて、前記有価媒体の判別と移送若しくは格納および前記遊技媒体の供給と払出しとを司る遊技媒体貸出制御情報を遊技媒体貸出制御手段の紙幣取扱部とメダル払出部に設けられる各センサが取得する遊技媒体貸出制御信号の有無と、遊技媒体貸出制御信号有り無しの経過時間および複数種類の遊技媒体貸出制御信号の関係若しくは組合わせに基づいて、真正な遊技媒体貸出制御情報として紙幣取扱部とメダル払出部および主制御部において形成する遊技媒体貸出制御情報形成手段を有することを特徴とする遊技媒体貸出装置における遊技媒体貸出制御情報形成方法。
【０２３３】
遊技媒体の貸出制御を行う信号若しくは情報を、雑音や信号干渉若しくは周辺装置の動作過程による影響から防護して、錯誤が無く効率的なメダルの貸出制御を実行する。
【図面の簡単な説明】
【０２３４】
【図１】本実施形態のメダル貸機の斜視図である。
【図２】本実施形態のメダル貸機の分解斜視図である。
【図３】紙幣取扱部２の斜視図であり、前方蓋部２１、後方蓋部２２、および、上方蓋部２３を開け、中央蓋部２４を取り外した様子を示している。
【図４】紙幣取扱部２の斜視図であり、上方蓋部２３を開けた様子を示している。
【図５】紙幣取扱部２、主制御部４、メダル払出部６の内部構成を示す模式的なブロック図である。
【図６】主制御部４の説明図であり、（ａ）は正面図、（ｂ）は裏面図である。
【図７】メダル払出部６の斜視図で、（ａ）は、筐体１０内への挿入方向側からメダル払出部６を見たときの左方側上方から斜めに見下ろした図で、（ｂ）は、右方側上方側から斜めに見下ろした図で、（ｃ）は、後述するメダル詰まり処理（Ｓ４５１〜４６４）を実行するときに、メダル送出モータを動作させるタイミングチャートである。
【図８】信号の説明図である。
【図９】エラーコードの一覧表である。
【図１０】店内設備の模式図である。
【図１１】店内設備のブロック図である。
【図１２】メダル貸機１と店内設備（１００〜１３０）との接続部分の斜視図である。
【図１３】メイン制御のフローチャートである。
【図１４】通信確立処理（Ｓ１００）のフローチャートである。
【図１５】メカイニシャル処理（Ｓ２００）のフローチャートである。
【図１６】投入紙幣処理（Ｓ３００）のフローチャートである。
【図１７】（ａ）紙幣搬送装置１２０が接続されている場合に、Ｓ３４０〜Ｓ４００までの処理を実行したときに通信される信号のタイミングチャート及び、（ｂ）紙幣搬送装置１２０が接続されていない場合に、Ｓ３４０〜Ｓ４００までの処理を実行したときに通信される信号のタイミングチャートである。
【図１８】メダル払出処理（Ｓ４００）のフローチャートである。
【図１９】紙幣取扱部２の監視処理（Ｓ５００）のフローチャートである。
【図２０】メダル払出部６の監視処理（Ｓ６００）のフローチャートである。
【図２１】異常表示処理（Ｓ７００）のフローチャートである。
【符号の説明】
【０２３５】
１…メダル貸機、
１０…筐体、１０ａ…開口部、１１…上蓋、１２…中蓋、１３…下蓋、１３ａ…        受け皿、
２…紙幣取扱部、
２０…紙幣取扱部本体、２０ａ…検出部、２０ｂ…収納部、２１…前方蓋部、２        １ａ…引掛口、２２…後方蓋部、２３…上方蓋部、２３ａ…観察窓、２４…中央        蓋部、２５…投入口、２６…案内庇、２７…仕切板、２８…送出口、２９…搬送        ベルト、２９ａ…搬送ローラ、３０…センサ、３０ａ…紙幣判別センサ、３０ｂ        …位置決センサ、３０ｃ…投入検出センサ、３０ｄ…紙幣満杯センサ、３０ｅ…        紙幣収納センサ、３０ｆ…紙幣搬送センサ、３１…搬送ベルトモータ、３３…コ        ネクタ、３５…制御装置、３９…バス、
４…主制御部、
４０…筐体、４２…中止ランプ、４３…補給ランプ、４４…表示ボタン、４５…        リセットスイッチ、４６…ディップスイッチ、４６ａ…ディップスイッチ、４７        …コネクタ、４９…バス、５０…中央制御装置、５０ｄ…記憶装置、５４…貯玉        会員切換部、５６…紙幣搬送装置接続時切換スイッチ、
６…メダル払出部、
６０…土台部、６０ａ…メダル放出口、６０ｂ…払出テストボタン、６０ｃ…コ        ネクタ、６０ｄ…ノイズキャンセラ、６０ｅ…カウントセンサ、６２…連結部、        ６２ａ…ホッパー駆動モータ、６４…メダルタンク、６４ａ…メダル有無センサ        、６９…バス、
８…電源部、
８０…ノイズ除去装置、
９０…インターフェイス部、
１００…島、１０１…スロット機、
１１０…遊技場管理装置、
１２０…紙幣搬送装置、１２１…紙幣搬送制御装置、１２１ａ…金庫、１２２…紙幣搬送路、１２３…紙幣搬送分岐路、１２４…紙幣保留部、
１３０…メダル補給装置、１３１…メダル補給制御装置、１３２…メダル補給路、１３３…メダル補給分岐路、１３４…分配杵、
１４０…貯玉会員管理装置、
１５０…記憶媒体投入装置
【図１】
2007151949.tif 000007
【図２】
2007151949.tif 000008
【図３】
2007151949.tif 000009
【図４】
2007151949.tif 000010
【図５】
2007151949.tif 000011
【図７】
2007151949.tif 000012
【図８】
2007151949.tif 000013
【図９】
2007151949.tif 000014
【図１０】
2007151949.tif 000015
【図１１】
2007151949.tif 000016
【図１２】
2007151949.tif 000017
【図１３】
2007151949.tif 000018
【図１４】
2007151949.tif 000019
【図１５】
2007151949.tif 000020
【図１６】
2007151949.tif 000021
【図１７】
2007151949.tif 000022
【図１８】
2007151949.tif 000023
【図１９】
2007151949.tif 000024
【図２０】
2007151949.tif 000025
【図２１】
2007151949.tif 000026
【図６】
2007151949.tif 000027
【手続補正書】
【提出日】平成17年12月13日(2005.12.13)
【手続補正１】
【補正対象書類名】特許請求の範囲
【補正対象項目名】全文
【補正方法】変更
【補正の内容】
【特許請求の範囲】
【請求項１】
有価媒体の投入に基づいて遊技媒体が貸し出される遊技媒体貸出装置において、
有価媒体の判別と移送若しくは格納および前記遊技媒体の供給と払出しとを司る遊技媒体貸出制御装置を備え、
この遊技媒体貸出制御装置は、
前記有価媒体の取扱部と前記遊技媒体の払出部に設けられる各センサによって検出される遊技媒体貸出制御信号の有無、あるいは、遊技媒体貸出制御信号の有無の経過時間、複数種類の遊技媒体貸出制御信号の関係若しくは組合わせに基づいて、真正な遊技媒体貸出制御情報を生成する遊技媒体貸出制御情報形成手段を備えることを特徴とする遊技媒体貸出装置。
【手続補正２】
【補正対象書類名】明細書
【補正対象項目名】０００６
【補正方法】変更
【補正の内容】
【０００６】
上記課題を解決するための本発明は、有価媒体の投入に基づいて遊技媒体が貸し出される遊技媒体貸出装置において、有価媒体の判別と移送若しくは格納および前記遊技媒体の供給と払出しとを司る遊技媒体貸出制御装置を備え、この遊技媒体貸出制御装置は、前記有価媒体の取扱部と前記遊技媒体の払出部に設けられる各センサによって検出される遊技媒体貸出制御信号の有無、あるいは、遊技媒体貸出制御信号の有無の経過時間、複数種類の遊技媒体貸出制御信号の関係若しくは組合わせに基づいて、真正な遊技媒体貸出制御情報を生成する遊技媒体貸出制御情報形成手段を備えることを特徴とする。この遊技媒体貸出装置を用いると、遊技媒体の貸出動作の起動や進展に伴って当該遊技媒体貸出装置やメダル補給装置若しくは紙幣搬送装置などから発生するノイズや他の信号若しくは制御過程に干渉されず錯誤の無い効率的な遊技媒体の貸出制御を行うことができる。
【手続補正３】
【補正対象書類名】明細書
【補正対象項目名】０００９
【補正方法】変更
【補正の内容】
【０００９】
有価媒体の投入に基づいて遊技媒体が貸し出される遊技媒体貸出装置において、有価媒体の判別と移送若しくは格納および前記遊技媒体の供給と払出しとを司る遊技媒体貸出制御装置を備え、この遊技媒体貸出制御装置は、有価媒体の取扱部と遊技媒体の払出部に設けられる各センサによって検出される遊技媒体貸出制御信号の有無、あるいは、遊技媒体貸出制御信号の有無の経過時間、複数種類の遊技媒体貸出制御信号の関係若しくは組合わせに基づいて、真正な遊技媒体貸出制御情報を生成する遊技媒体貸出制御情報形成手段を備えるものであり、これによって遊技媒体貸出制御手段に設けられたセンサにより検出した信号や遊技媒体貸出制御手段の駆動信号をそのまま遊技媒体の貸出制御に使用することのほか、遊技媒体貸出制御手段を含む関連部材から誘起されるノイズや他の信号による干渉或いは遊技媒体貸出制御手段を構成する各部のレスポンスにも影響されない信頼性のある遊技媒体の貸出制御を行うことのできる遊技媒体貸出装置を提供することができる効果を生じる。
【手続補正４】
【補正対象書類名】明細書
【補正対象項目名】００７２
【補正方法】変更
【補正の内容】
【００７２】
ＤＩＰＳＷ４６ｂの２番は、紙幣取扱部２内に投入された紙幣が真券であるか否かを示す信号の種類を決めるスイッチである。ＤＩＰＳＷ４６ｂの２番をＯＦＦにすると、紙幣が真券である場合、短い１０個のパルスが売上信号として外部に出力される。一方、ＤＩＰＳＷ４６ｂの２番をＯＮにすると、紙幣が真券である場合、長い１個のパルスが売上信号として外部に出力される。